(57)【特許請求の範囲】
【請求項１】
チャネル状態情報（ＣＳＩ）報告に関連するパラメータを含むＭ個のＣＳＩレポート設定と、チャネル測定に使用されるＳ個のＣＳＩ‐ＲＳリソース集合を規定するパラメータを含むＮ個のリソース設定とで上位層によって構成されたワイヤレス・デバイスにおいてＣＳＩフィードバックを開始する方法であって、前記Ｎ個のリソース設定は、前記Ｍ個のＣＳＩレポート設定にリンクされており、前記方法は、
前記Ｓ個のＣＳＩ‐ＲＳリソース集合のうちのＣＳＩ‐ＲＳリソース集合と前記Ｍ個のＣＳＩレポート設定のうちのＣＳＩレポート設定との間の事前に規定された１対１対応に関連する動的インジケーションを受信することと、
前記動的インジケーションに少なくとも部分的に基づいてＣＳＩフィードバックを送信することと、
を有する方法。
【請求項２】
請求項１に記載の方法であって、前記ＣＳＩレポート設定に規定されたコードブック構成及び１つ以上の関連パラメータは、前記ＣＳＩ‐ＲＳリソース集合内に含まれるＣＳＩ‐ＲＳリソース内のポート数に関連する、方法。
【請求項３】
請求項１又は２に記載の方法であって、前記ＣＳＩレポート設定に規定された時間領域挙動は、前記ＣＳＩ‐ＲＳリソース集合内に含まれるＣＳＩ‐ＲＳリソースの時間領域挙動に関連する、方法。
【請求項４】
請求項１乃至３の何れか１項に記載の方法であって、前記動的インジケーションは、ＤＣＩによって与えられる、方法。
【請求項５】
請求項１乃至３の何れか１項に記載の方法であって、前記動的インジケーションは、ＭＡＣ  ＣＥによって与えられる、方法。
【請求項６】
請求項１乃至５の何れか１項に記載の方法であって、１つのリソース設定（Ｎ＝１）にリンクされた前記Ｍ個のＣＳＩレポート設定は、前記１つのリソース設定内の前記Ｓ個のＣＳＩ‐ＲＳリソース集合に等しく設定される、方法。
【請求項７】
請求項１乃至６の何れか１項に記載の方法であって、前記ＣＳＩレポート設定の全体は、１つのＣＳＩ‐ＲＳリソース集合のみに対応する、方法。
【請求項８】
請求項１乃至７の何れか１項に記載の方法であって、前記動的インジケーションは、１つ以上のＣＳＩレポート設定の選択と、１つ以上のＣＳＩ‐ＲＳリソースの選択とを明示的に示す、方法。
【請求項９】
請求項１乃至７の何れか１項に記載の方法であって、前記ＣＳＩ‐ＲＳリソース集合の前記動的インジケーションは、ＣＳＩレポート設定の選択を暗黙的に示す、方法。
【請求項１０】
請求項１乃至９の何れか１項に記載の方法であって、１つのＣＳＩレポート設定（Ｍ＝１）は、Ｓ個のＣＳＩ‐ＲＳリソース集合を含む１つのリソース設定（Ｎ＝１）にリンクされる、方法。
【請求項１１】
チャネル状態情報（ＣＳＩ）報告に関連するパラメータを含むＭ個のＣＳＩレポート設定と、チャネル測定に使用されるＳ個のＣＳＩ‐ＲＳリソース集合を規定するパラメータを含むＮ個のリソース設定とで上位層によって構成されたワイヤレス・デバイスにおいてＣＳＩフィードバックを開始するワイヤレス・デバイス（４０）であって、前記Ｎ個のリソース設定は、前記Ｍ個のＣＳＩレポート設定にリンクされており、前記ワイヤレス・デバイス（４０）は、
前記Ｓ個のＣＳＩ‐ＲＳリソース集合のうちのＣＳＩ‐ＲＳリソース集合と前記Ｍ個のＣＳＩレポート設定のうちのＣＳＩレポート設定との間の事前に規定された１対１対応に関連する動的インジケーションを受信することと、
前記動的インジケーションに少なくとも部分的に基づいてＣＳＩフィードバックを送信することと、
を実行するように構成された処理回路（４２）を備えるワイヤレス・デバイス。
【請求項１２】
請求項１１に記載のワイヤレス・デバイス（４０）であって、前記ＣＳＩレポート設定に規定されたコードブック構成及び１つ以上の関連パラメータは、前記ＣＳＩ‐ＲＳリソース集合内に含まれるＣＳＩ‐ＲＳリソース内のポート数に関連する、ワイヤレス・デバイス。
【請求項１３】
請求項１１又は１２に記載のワイヤレス・デバイス（４０）であって、前記ＣＳＩレポート設定に規定された時間領域挙動は、前記ＣＳＩ‐ＲＳリソース集合内に含まれるＣＳＩ‐ＲＳリソースの時間領域挙動に関連する、ワイヤレス・デバイス。
【請求項１４】
請求項１１乃至１３の何れか１項に記載のワイヤレス・デバイス（４０）であって、前記動的インジケーションは、ＤＣＩによって与えられる、ワイヤレス・デバイス。
【請求項１５】
請求項１１乃至１３の何れか１項に記載のワイヤレス・デバイス（４０）であって、前記動的インジケーションは、ＭＡＣ  ＣＥによって与えられる、ワイヤレス・デバイス。
【請求項１６】
請求項１１乃至１５の何れか１項に記載のワイヤレス・デバイス（４０）であって、１つのリソース設定（Ｎ＝１）にリンクされた前記Ｍ個のＣＳＩレポート設定は、前記１つのリソース設定内の前記Ｓ個のＣＳＩ‐ＲＳリソース集合に等しく設定される、ワイヤレス・デバイス。
【請求項１７】
請求項１１乃至１６の何れか１項に記載のワイヤレス・デバイス（４０）であって、前記ＣＳＩレポート設定の全体は、１つのＣＳＩ‐ＲＳリソース集合のみに対応する、ワイヤレス・デバイス。
【請求項１８】
請求項１１乃至１７の何れか１項に記載のワイヤレス・デバイス（４０）であって、前記動的インジケーションは、１つ以上のＣＳＩレポート設定の選択と、１つ以上のＣＳＩ‐ＲＳリソースの選択とを明示的に示す、ワイヤレス・デバイス。
【請求項１９】
請求項１１乃至１８の何れか１項に記載のワイヤレス・デバイス（４０）であって、前記ＣＳＩ‐ＲＳリソース集合の前記動的インジケーションは、ＣＳＩレポート設定の選択を暗黙的に示す、ワイヤレス・デバイス。
【請求項２０】
請求項１１乃至１９の何れか１項に記載のワイヤレス・デバイス（４０）であって、１つのＣＳＩレポート設定（Ｍ＝１）は、Ｓ個のＣＳＩ‐ＲＳリソース集合を含む１つのリソース設定（Ｎ＝１）にリンクされる、ワイヤレス・デバイス。
【請求項２１】
チャネル状態情報（ＣＳＩ）報告に関連するパラメータを含むＭ個のＣＳＩレポート設定と、チャネル測定に使用されるＳ個のＣＳＩ‐ＲＳリソース集合を規定するパラメータを含むＮ個のリソース設定とで上位層によって構成されたユーザ機器においてＣＳＩフィードバックを開始するユーザ機器（４０）であって、前記Ｎ個のリソース設定は、前記Ｍ個のＣＳＩレポート設定にリンクされており、前記ユーザ機器（４０）は、
前記Ｓ個のＣＳＩ‐ＲＳリソース集合のうちのＣＳＩ‐ＲＳリソース集合と前記Ｍ個のＣＳＩレポート設定のうちのＣＳＩレポート設定との間の事前に規定された１対１対応に関連する動的インジケーションを受信することと、
前記動的インジケーションに少なくとも部分的に基づいてＣＳＩフィードバックを送信することと、
を実行するように構成された処理回路（４２）を備えるユーザ機器。
【請求項２２】
請求項２１に記載のユーザ機器（４０）であって、前記ＣＳＩレポート設定に規定されたコードブック構成及び１つ以上の関連パラメータは、前記ＣＳＩ‐ＲＳリソース集合内に含まれるＣＳＩ‐ＲＳリソース内のポート数に関連する、ユーザ機器。
【請求項２３】
請求項２１又は２２に記載のユーザ機器（４０）であって、前記ＣＳＩレポート設定に規定された時間領域挙動は、前記ＣＳＩ‐ＲＳリソース集合内に含まれるＣＳＩ‐ＲＳリソースの時間領域挙動に関連する、ユーザ機器。
【請求項２４】
請求項２１乃至２３の何れか１項に記載のユーザ機器（４０）であって、前記動的インジケーションは、ＤＣＩによって与えられる、ユーザ機器。
【請求項２５】
請求項２１乃至２３の何れか１項に記載のユーザ機器（４０）であって、前記動的インジケーションは、ＭＡＣ  ＣＥによって与えられる、ユーザ機器。
【請求項２６】
請求項２１乃至２５の何れか１項に記載のユーザ機器（４０）であって、１つのリソース設定（Ｎ＝１）にリンクされた前記Ｍ個のＣＳＩレポート設定は、前記１つのリソース設定内の前記Ｓ個のＣＳＩ‐ＲＳリソース集合に等しく設定される、ユーザ機器。
【請求項２７】
請求項２１乃至２６の何れか１項に記載のユーザ機器（４０）であって、前記ＣＳＩレポート設定の全体は、１つのＣＳＩ‐ＲＳリソース集合のみに対応する、ユーザ機器。
【請求項２８】
請求項２１乃至２７の何れか１項に記載のユーザ機器（４０）であって、前記動的インジケーションは、１つ以上のＣＳＩレポート設定の選択と、１つ以上のＣＳＩ‐ＲＳリソースの選択とを明示的に示す、ユーザ機器。
【請求項２９】
請求項２１乃至２８の何れか１項に記載のユーザ機器（４０）であって、前記ＣＳＩ‐ＲＳリソース集合の前記動的インジケーションは、ＣＳＩレポート設定の選択を暗黙的に示す、ユーザ機器。
【請求項３０】
請求項２１乃至２９の何れか１項に記載のユーザ機器（４０）であって、１つのＣＳＩレポート設定（Ｍ＝１）は、Ｓ個のＣＳＩ‐ＲＳリソース集合を含む１つのリソース設定（Ｎ＝１）にリンクされる、ユーザ機器。
【発明の詳細な説明】
【技術分野】
【０００１】
この開示はワイヤレス通信に関し、特に、チャネル状態情報（ＣＳＩ）フィードバックのための動的インジケーションに関する。
【背景技術】
【０００２】
第５世代の移動体通信及びワイヤレス技術はまだ完全には規定されていないが、３ＧＰＰ内で高度なドラフト段階にある。これは、５Ｇニュー・ラジオ（ＮＲ）アクセス技術に関する作業を含む。この開示において、異なる用語が５Ｇで指定されるかもしれないが、同等の５Ｇエンティティ又は機能を含むように将来を考慮した意味でＬＴＥの用語が使用される。これまでの５Ｇニュー・ラジオ（ＮＲ）アクセス技術に関する合意の一般的な説明は、３ＧＰＰ  ＴＲ３８．８０２  Ｖ１．０．０（２０１６年１１月）に含まれている。最終仕様は、とりわけ、将来の３ＧＰＰ  ＴＳ３８．３＊＊及び／又は３８．２＊＊シリーズにおいて公開されるかもしれない。
【０００３】
第５世代（５Ｇ）又はニュー・ラジオ（ＮＲ）のような次世代移動体ワイヤレス通信システムは、多様なユースケースの集合及び多様なデプロイメント・シナリオの集合をサポートする。後者は、今日のロング・ターム・エボリューション（ＬＴＥ）と同様の低周波数（１００ＭＨｚ）及び非常に高い周波数（数十ＧＨｚのミリ波）の両方でのデプロイメントを含む。高周波数において、伝搬特性は、良好なカバレッジを達成することを困難にする。カバレッジ問題に対する１つの解決策は、満足なリンク・バジェットを達成するために、典型的にはアナログ回路によって容易になされる高利得ビームフォーミングを採用することである。ビームフォーミングは、より低い周波数でも使用され（典型的には主にデジタル回路を使用するデジタル・ビームフォーミング）、既に標準化された第３世代パートナーシップ・プロジェクト（３ＧＰＰ）ＬＴＥシステム（４Ｇ）と本質的に同様であることが期待される。
【０００４】
特に関連するのは、チャネル状態情報参照信号（ＣＳＩ‐ＲＳ）に関連する３ＧＰＰ標準ＴＳ３６．２１１Ｖ１４．１．０（２０１６年１２月）のセクション６．１０．５である。ＮＲについても同様の信号が設計されることが期待され、この開示の主題である。
【０００５】
本書で使用されるニュー・ラジオ・ノードＢ（ｇＮＢ）及びワイヤレス・デバイス（ＷＤ）のような用語は非限定的であると見なされるべきであり、２つの間の何らかの階層的関係を暗示するものではなく、一般に、「ｇＮＢ」は汎用デバイス１への参照として、「ＷＤ」はデバイス２として読み取られることができ、これらの２つの汎用デバイスは何らかのワイヤレス・チャネルを介して互いに通信してもよいことに留意されたい。これに代えて、異なる通信システムにおいて「ｇＮＢ」の代わりに「ｇノードＢ」、「ｅノードＢ」及び「ｅＮＢ」のような他の用語が使用されうる。
【０００６】
ＬＴＥ及びＮＲはダウンリンクでは直交周波数分割多重（ＯＦＤＭ）を使用し、アップリンクでは離散フーリエ変換（ＤＦＴ）拡散ＯＦＤＭ又はＯＦＤＭを使用する。よって、基本的なＬＴＥ又はＮＲダウンリンク物理リソースは図１に示すような時間‐周波数グリッドとして見ることができ、各リソース要素は、１つのＯＦＤＭシンボル間隔中の１つのＯＦＤＭサブキャリアに対応する。図１ではサブキャリア間隔Δｆ＝１５ｋＨｚが示されているが、ＮＲでは異なるサブキャリア間隔値がサポートされる。ＮＲにおいてサポートされるサブキャリア間隔値（異なるヌーマロロジとも呼ばれる）は、αが非負整数である場合に、Δｆ＝（１５×２＾α）ｋＨｚによって与えられる。
【０００７】
時間領域において、ＬＴＥダウンリンク送信が１０ｍｓの無線フレームに編成され、各々の無線フレームは長さＴｓｕｂｆｒａｍｅ＝１ｍｓの１０個の等しいサイズのサブフレームからなり、これは図２に示さてれいる。同様のフレーム構成がＮＲで使用されてもよく、ここで、サブフレーム長は、使用されるサブキャリア間隔にかかわらず、１ｍｓに固定される。サブフレーム当たりのスロットの個数は、構成されるサブキャリア間隔に依存する。（１５×α２）ｋＨｚサブキャリア間隔のスロット期間は、スロット当たり１４個のＯＦＤＭシンボルを仮定して１／α２ｍｓで与えられる。
【０００８】
さらに、ＬＴＥにおけるリソース割り当ては、典型的にはリソース・ブロックに関して記述され、ここで、リソース・ブロック（ＲＢ）は時間領域において１個のスロット（０．５ｍｓ）に対応し、周波数領域において１２個の連続するサブキャリアに対応する。リソース・ブロックは周波数領域において番号付けされ、システム帯域幅の一端から０で始まる。ＮＲにおいて、時間領域におけるリソース割り当ては、スロットの単位（すなわち、スロット・ベースの送信）又はスロット未満の長さの単位（すなわち、非スロット・ベースの送信）でありうる。
【０００９】
ダウンリンク送信は動的にスケジュールされ、すなわち、各サブフレームにおいて、ｇＮＢは、現在のダウンリンク・サブフレームにおいて、どの端末のデータが送信され、どのリソース・ブロック上でデータが送信されるかに関する制御情報を送信する。この制御シグナリングは、典型的に、ＬＴＥでは各サブフレームの最初の１、２、３又は４個のＯＦＤＭシンボルにおいて送信され、ＮＲでは１又は２個のＯＦＤＭシンボルにおいて送信される。ＬＴＥのための制御として３つのＯＦＤＭシンボルを有するダウンリンク・システムが図３に示されている。
【００１０】
コードブック・ベースのプリコーディング
マルチアンテナ技術は、ワイヤレス通信システムのデータ・レート及び信頼性を著しく増加できる。送信機及び受信機の両方が複数のアンテナを備え、その結果、多入力多出力（ＭＩＭＯ）通信チャネルが得られる場合に、性能は特に改善される。このようなシステム及び／又は関連技術は、一般にＭＩＭＯと呼ばれる。
【００１１】
ＮＲは、現在、ＭＩＭＯサポートで発展している。ＮＲにおけるコア・コンポーネントは、より高いキャリア周波数でのビームフォーミングを含むＭＩＭＯアンテナ・デプロイメント及びＭＩＭＯ関連技術のサポートである。現在、ＬＴＥ及びＮＲは、チャネル依存プリコーディングを伴う最大３２個の送信（Ｔｘ）アンテナのための８層空間多重化モードをサポートする。空間多重化モードは、良好なチャネル状態において高いデータ・レートを目指している。空間多重化動作の説明が図４に与えられる。
【００１２】
図４に見られるように、情報搬送シンボル・ベクトルｓは、（ＮＴ個のアンテナ・ポートに対応する）ＮＴ次元ベクトル空間の部分空間に送信エネルギーを分配する機能を有するＮＴ×ｒプリコーダ行列によって乗算される。プリコーダ行列は典型的に、取りうるプリコーダ行列のコードブックから選択され、典型的に所与の個数のシンボル・ストリームについてコードブック内の一意のプリコーダ行列を特定するプリコーダ行列インジケータ（ＰＭＩ）によって示される。ｓ内のｒ個のシンボルはそれぞれ層に対応し、ｒは送信ランクと呼ばれる。このようにして、複数のシンボルが同じ時間／周波数リソース要素（ＴＦＲＥ）上で同時に送信されうるので、空間多重化が実現される。シンボルの個数ｒは、典型的に、現在のチャネル・プロパティに合うように適合される。
【００１３】
ＬＴＥ及びＮＲはダウンリンクにおいてＯＦＤＭを使用し、したがって、サブキャリアｎ上の何らかのＴＦＲＥ（又は、これに代えてデータＴＦＲＥ番号ｎ）についての受信されたＮＲｘ１ベクトルｙｎは、ｙｎ＝ＨｎＷｓｎ＋ｅｎによってモデル化される。ここで、ｅｎはランダム・プロセスの実現として得られる雑音／干渉ベクトルである。プリコーダＷは、周波数にわたって一定であるか、又は周波数選択性である広帯域プリコーダでありうる。
【００１４】
プリコーダ行列はしばしば、ＮＲ×ＮＴＭＩＭＯチャネル行列Ｈｎの特性に整合するように選択され、結果としていわゆるチャネル依存プリコーディングをもたらす。これは、一般に閉ループ・プリコーディングとも呼ばれ、送信エネルギーの大部分をＷＤに伝達するという意味で強い部分空間に送信エネルギーを集束させるように本質的に努める。さらに、プリコーダ行列はまた、チャネルを直交化しようとするように選択されてもよく、これは、ＷＤにおける適切な線形等化の後に層間干渉が低減されることを意味する。
【００１５】
送信ランク、及びそれゆえ空間多重化された層の個数は、プリコーダの列数に反映される。効率的な実行のために、チャネル・プロパティに整合する送信ランクが選択されるべきである。
【００１６】
コードブック・ベースのチャネル状態情報（ＣＳＩ）推定及びフィードバック
送信モード９及び送信モード１０のようなＬＴＥの閉ループＭＩＭＯ送信スキームでは、ＷＤがダウンリンクＣＳＩを推定し、ｅノードＢにフィードバックする。ｅＮＢは、フィードバックＣＳＩを使用して、ダウンリンク・データをＷＤに送信する。ＣＳＩは、送信ランク・インジケータ（ＲＩ）、プリコーディング行列インジケータ（ＰＭＩ）及びチャネル品質インジケータ（ＣＱＩ）からなる。プリコーディング行列のコードブックは、ある基準、例えば、ＷＤスループットに基づいて、推定されたダウンリンク・チャネルＨｎとコードブック内のプリコーディング行列との間の最良の一致を見つけるためにＷＤによって使用される。チャネルＨｎは、送信モード９及び送信モード１０のためのダウンリンクで送信される非ゼロ電力ＣＳＩ参照信号（ＮＺＰ  ＣＳＩ‐ＲＳ）に基づいて推定される。
【００１７】
ＣＱＩ／ＲＩ／ＰＭＩは、一緒になって、ダウンリンク・チャネル状態をＷＤに提供する。これは、Ｈｎの推定結果が直接フィードバックされないので、暗黙的ＣＳＩフィードバックとも呼ばれる。ＣＱＩ／ＲＩ／ＰＭＩは、どの報告モードが構成されるかに依存して、広帯域又はサブバンドでありうる。
【００１８】
ＲＩは、空間多重化され、それゆえダウンリンク・チャネルを介して並列に送信されることになるストリームの推奨個数に対応する。ＰＭＩは、チャネルの空間特性に関連する、送信のための（ＣＳＩ‐ＲＳポートの個数と同じ数の行を有するプリコーダを含むコードブック内の）推奨プリコーディング行列コードワードを識別する。ＣＱＩは推奨トランスポート・ブロック・サイズ（すなわち、コード・レート）を表し、ＬＴＥはサブフレームにおけるＷＤへのトランスポート・ブロック（すなわち、情報の別々に符号化されたブロック）の１つ又は（異なる層上での）２つの同時送信の送信をサポートする。よって、ＣＱＩと、トランスポート・ブロックが送信される空間ストリームの信号対干渉雑音比（ＳＩＮＲ）との間に関係がある。
【００１９】
ＬＴＥリリース１３まででは、最大１６個のアンテナ・ポートのコードブックが規定されている。１次元（１Ｄ）及び２次元（２Ｄ）の両方のアンテナ・アレイがサポートされる。ＬＴＥリリース１２以前では、１次元（１Ｄ）ポート・レイアウトのためのコードブック・フィードバックのみが、２個、４個又は８個のアンテナ・ポートでサポートされる。したがって、コードブックは、これらのポートが１次元において直線上に配置されると仮定して設計される。ＬＴＥ  Ｒｅｌ‐１３では、２次元（２Ｄ）ポート・レイアウトのためのコードブックが８個、１２個又は１６個のアンテナ・ポートの場合について特定された。さらに、１６個のアンテナ・ポートの場合の１Ｄポート・レイアウトのためのコードブックもＬＴＥ  Ｒｅｌ‐１３で特定された。ＬＴＥ  Ｒｅｌ‐１４では、１Ｄ及び２Ｄコードブックが３２個のポートまで拡張される（具体的に、２０個、２４個、２８個及び３２個のポートの１Ｄ及び２ＤコードブックがＬＴＥ  Ｒｅｌ‐１４でサポートされる）。
【００２０】
ＬＴＥ  Ｒｅｌ‐１３では、２つのタイプのＣＳＩ報告、すなわちクラスＡ及びクラスＢが導入された。クラスＡ  ＣＳＩ報告では、ＷＤが８個、１２個又は１６個のアンテナ・ポートを有する構成された２Ｄアンテナ・アレイのための新しいコードブックに基づいてＣＳＩを測定し報告する。クラスＡコードブックは５つのパラメータ、すなわち（Ｎ１、Ｎ２、Ｑ１、Ｑ２、ＣｏｄｅｂｏｏｋＣｏｎｆｉｇ）によって規定され、（Ｎ１、Ｎ２）はそれぞれ第１次元及び第２次元におけるアンテナ・ポートの個数である。（Ｑ１、Ｑ２）は、それぞれ、第１次元及び第２次元に対するＤＦＴオーバーサンプリング係数である。ＣｏｄｅｂｏｏｋＣｏｎｆｉｇは１から４の範囲であり、コードブックが形成される４つの異なる方法を規定する。ＣｏｄｅｂｏｏｋＣｏｎｆｉｇ＝１について、単一の２Ｄビームに対応するプリコーディング行列インジケータ（ＰＭＩ）がシステム帯域幅全体についてフィードバックされるが、ＣｏｄｅｂｏｏｋＣｏｎｆｉｇ＝｛２、３、４｝について、４つの２Ｄビームに対応するＰＭＩがフィードバックされ、各サブバンドは異なる２Ｄビームに関連付けられてもよい。ＣＳＩは、ｐｒｅ  Ｒｅｌ‐１３におけるＣＳＩ報告と同様に、リスク・インジケータ（ＲＩ）、ＰＭＩ及びチャネル品質インジケータ（ＣＱＩ）からなる。
【００２１】
クラスＢ  ＣＳＩ報告では、（「Ｋ＿（ＣＳＩ‐ＲＳ）＞１」とも呼ばれる）１つのシナリオにおいて、ｅＮＢは、１つのアンテナ次元で複数のビームを事前形成してもよい。残りのアンテナ次元上の各ビーム内に複数のポート（１、２、４又は８ポート）が存在しうる。「ビームフォーミングされた」ＣＳＩ‐ＲＳは、各ビームに沿って送信される。ＷＤはまず、構成されたビームのグループから最良のビームを選択し、次いで、２、４又は８ポートのためのＰｒｅ‐Ｒｅｌｅａｓｅ‐１３  ＬＴＥコードブックに基づいて、選択されたビーム内のＣＳＩを測定する。その後、ＷＤは、選択されたビーム・インデックスと、選択されたビームに対応するＣＳＩとを報告し返す。（「Ｋ＿（ＣＳＩ‐ＲＳ）＝１」とも呼ばれる）別のシナリオで、ｅＮＢは、各偏波上に最大４個の（２Ｄ）ビームを形成してもよく、「ビームフォーミングされた」ＣＳＩ‐ＲＳは各ビームに沿って送信される。ＷＤは、「ビームフォーミングされた」ＣＳＩ‐ＲＳ上でＣＳＩを測定し、２、４又は８ポートのための新しいクラスＢコードブックに基づいてＣＳＩをフィードバックする。
【００２２】
チャネル状態情報参照シンボル（ＣＳＩ‐ＲＳ）
ＬＴＥ及びＮＲでは、チャネル状態情報、ＣＳＩ‐ＲＳ、を推定する意図のために、参照シンボル・シーケンスが導入される。ＣＳＩ‐ＲＳは、その目的のためにＬＴＥの以前のリリースにおいて使用された共通参照シンボル（ＣＲＳ）にＣＳＩフィードバックを基づかせることに勝るいくつかの利点を提供する。第１に、ＣＳＩ‐ＲＳはデータ信号の復調に使用されず、従ってＣＲＳと同じ密度を必要としない（すなわち、ＣＳＩ‐ＲＳのオーバーヘッドは実質的に小さい）。第２に、ＣＳＩ‐ＲＳは、ＣＳＩフィードバック測定結果を構成するためのはるかに柔軟な手段を提供する（例えば、どのＣＳＩ‐ＲＳリソースを測定するかは、ＷＤ固有の方法で構成されうる）。
【００２３】
ＣＳＩ‐ＲＳ上で測定することにより、ＷＤは、無線伝搬チャネル及びアンテナ利得を含む、ＣＳＩ‐ＲＳが横断している有効チャネルを推定できる。より数学的な厳密さにおいて、これは、既知のＣＳＩ‐ＲＳ信号Ｘが送信される場合に、ＷＤが送信信号と受信信号との間の結合（すなわち、有効チャネル）を推定できることを意味する。したがって、送信において仮想化が行われない場合に、受信信号ｙは、ｙ＝Ｈｘ＋ｅとして表されることができ、ＷＤは有効チャネルＨを推定できる。ＬＴＥ又はＮＲ  ＷＤについて最大３２個のＣＳＩ‐ＲＳポートを構成できる。すなわち、ＷＤは、３２個までの送信アンテナ・ポートからチャネルを推定できる。
【００２４】
アンテナ・ポートは、ＷＤがチャネルを測定するために使用する参照信号リソースと等価である。したがって、２つのアンテナを有するｇＮＢのような基地局は２つのＣＳＩ‐ＲＳポートを規定でき、各ポートは、サブフレーム又はスロット内の時間周波数グリッド内のリソース要素の集合である。ＷＤが２つの無線チャネルを測定し、これらの測定結果に基づいてチャネル状態情報を基地局に報告し返すことができるように、基地局は、２つのアンテナのそれぞれからこれらの２つの参照信号のそれぞれを送信する。ＬＴＥでは、１、２、４、８、１２、１６、２０、２４、２８及び３２個のポートを有するＣＳＩ‐ＲＳリソースがサポートされる。
【００２５】
ＬＴＥで、ＣＳＩ‐ＲＳは、２つの連続するリソース要素（ＲＥ）上の２つのアンテナ・ポートを覆う長さ２の直交カバー・コード（ＯＣＣ）を利用する。より具体的には、図５Ａ〜５Ｃは、リリース９／１０ＷＤ固有のＲＳ、（ＣＳＩ‐ＲＳアンテナ・ポートに対応する番号でマークされる）ＣＳＩ‐ＲＳ、及びＣＲＳの取りうる位置を示すリソース・ブロック（ＲＢ）ペアにわたるリソース要素グリッドを示す。図５Ａ〜５Ｃに示すように、多くの異なるＣＳＩ‐ＲＳパターンが利用可能である。２つのＣＳＩ‐ＲＳアンテナ・ポートについて、図５Ａは、サブフレーム内に２０個の異なるパターンがあることを示す。図５Ｂ及び図５Ｃに示すように、対応するパターンの個数は、４個及び８個のＣＳＩ‐ＲＳアンテナ・ポートに対してそれぞれ１０個及び５個である。ＴＤＤについて、いくつかの追加のＣＳＩ‐ＲＳパターンが利用可能である。さらに、ＬＴＥは、より多くのＣＳＩ‐ＲＳポートの場合に全電力利用をサポートするために、４及び８の追加のＯＣＣ長をサポートする。長さ４のＯＣＣは、ＣＳＩ‐ＲＳポート数が１２以上の場合にサポートされる。長さ８のＯＣＣは、ＣＳＩ‐ＲＳポート数が２４又は３２の場合にサポートされる。
【００２６】
ＣＳＩ参照信号構成は、３ＧＰＰ  ＬＴＥ仕様ＴＳ３６．２１１ｖ．１２．５．０から得られる表１によって与えられる。例えば、４個のアンテナ・ポートのためのＣＳＩ  ＲＳ構成５はスロット１（サブフレームの２番目のスロット）において（ｋ´、ｌ´）＝（９、５）を使用し、以下の公式を使用して、（物理リソース・ブロック（ＰＲＢ）インデックスｍ＝０と仮定して、）ポート１５、１６はリソース要素（ｋ、ｌ）＝（９、５）、（９、６）上のＯＣＣを使用し、ポート１７、１８はリソース要素（３、５）（３、６）上のＯＣＣを使用する。ここで、ｋはサブキャリア・インデックスであり、ｌはＯＦＤＭシンボル・インデックスである。
表１
0006975794.tif 000002
【００２７】
直交カバー・コード（ＯＣＣ）は、以下の係数ｗｌ″によって導入される。
0006975794.tif 000003
２つのタイプのＣＳＩ‐ＲＳ、すなわち非ゼロ電力（ＮＺＰ）ＣＳＩ‐ＲＳ及びゼロ電力（ＺＰ）ＣＳＩ‐ＲＳを規定できる。ＮＺＰ  ＣＳＩ‐ＲＳはＷＤがネットワーク・ノードへのダウンリンク・チャネルを推定するために、ネットワーク・ノード（又はｇＮＢ）によって送信される。ＺＰ  ＣＳＩ‐ＲＳについて、１つ以上のＣＳＩ‐ＲＳリソースがネットワーク・ノードによって割り当てられるが、リソース上では何も送信されず、これを使用して、隣接セルへの干渉を低減でき、その結果、隣接セル内のＷＤによってより良好なチャネル推定を実行できる。
【００２８】
ＮＲでは、以下の３つのタイプのＣＳＩ‐ＲＳ送信がサポートされる。
・非周期的ＣＳＩ‐ＲＳ送信：これは、任意のサブフレーム又はスロットで起こりうるワンショットＣＳＩ‐ＲＳ送信である。ここで、ワンショットは、１つのスロット又はサブフレームにおいてトリガごとにＣＳＩ‐ＲＳ送信が１回のみ発生することを意味する。非周期的ＣＳＩ‐ＲＳのためのＣＳＩ‐ＲＳリソース（すなわち、サブキャリア位置及びＯＦＤＭシンボル位置からなるリソース要素位置）は、上位層シグナリングを介してＷＤに事前構成される。非周期的ＣＳＩ‐ＲＳの送信は、動的シグナリングによってトリガされる。
・周期的ＣＳＩ‐ＲＳ送信：これらのＣＳＩ‐ＲＳ送信は上位層シグナリングによって事前構成され、事前構成はＬＴＥと同様の周期性及びサブフレーム・オフセットのようなパラメータを含む。周期的ＣＳＩ‐ＲＳは、上位層シグナリングのみによって制御され、周期的ＣＳＩ‐ＲＳ送信をトリガするために動的シグナリングは必要とされない。すなわち、周期的ＣＳＩ‐ＲＳ送信は、構成されたパラメータに従う無線リソース制御（ＲＲＣ）構成に続いて始まる。
・半永続的ＣＳＩ‐ＲＳ送信：周期的ＣＳＩ‐ＲＳと同様に、半永続的ＣＳＩ‐ＲＳ送信のためのリソースは、周期性及びサブフレーム・オフセットのようなパラメータを用いて、上位層シグナリングを介して事前構成される。しかしながら、周期的ＣＳＩ‐ＲＳとは異なり、事前構成されたリソース上で半永続的ＣＳＩ‐ＲＳの送信を開始するために動的割り当てシグナリングが必要となる。さらに、図６に示されるように、半永続的ＣＳＩ‐ＲＳは、（半永続的ＣＳＩ‐ＲＳが割り当てられる期間と呼ばれてもよい）制限された期間の間に送信される。いくつかの場合に、半永続的ＣＳＩ‐ＲＳの送信を停止するために、動的割り当て解除シグナリングが必要となる。
【００２９】
複数のタイプのＣＳＩ‐ＲＳ送信に加えて、ＮＲはまた、複数のタイプのＣＳＩ報告をサポートする。ＮＲでは、以下のタイプのＣＳＩ報告がサポートされる。
・非周期的ＣＳＩ報告：このタイプのＣＳＩ報告は、ｇＮＢによって動的にトリガされるＷＤによるシングルショット（すなわち、１回の）ＣＳＩレポートを伴う。
・周期的ＣＳＩ報告：ＣＳＩは、ＷＤによって周期的に報告される。周期性及びサブフレーム・オフセットのようなパラメータが上位層シグナリングによって構成される。
・半永続的ＣＳＩ報告：周期的ＣＳＩ報告と同様に、半永続的ＣＳＩ報告は、周期性及びサブフレーム・オフセットを有する。しかし、半永続的ＣＳＩ報告を開始するために、動的トリガが必要となってもよい。いくつかの場合に、半永続的ＣＳＩ報告を停止するために、動的トリガが必要となってもよい。
【００３０】
異なるＣＳＩ‐ＲＳタイプを異なるＣＳＩ報告タイプに関連付けることに関して、ＮＲでサポートされる組み合わせを表２に示す。
表２‐ＮＲでサポートされるＣＳＩ‐ＲＳタイプ及びＣＳＩ報告タイプの組み合わせ
0006975794.tif 000004
【００３１】
干渉測定リソース（ＩＭＲ）
ＬＴＥでは、干渉測定リソース（ＩＭＲ）が送信モード１０に導入され、これは干渉測定が未規定である他の送信モード（例えば、送信モード９）と比較して、ＣＳＩ測定がより良く規定されるという利点を与える。これにより、他の送信モードよりも送信モード１０の性能が向上する。
【００３２】
ＬＴＥにおいて、ＺＰ  ＣＳＩ‐ＲＳに基づくＩＭＲが既にサポートされている。ＺＰ  ＣＳＩ‐ＲＳベースのＩＭＲは、典型的に非コヒーレント干渉測定のために使用され、ここで、ＷＤはＩＭＲ上の干渉電力を測定する。ＺＰ  ＣＳＩ‐ＲＳに基づくこのような干渉電力測定は、ＭＵ‐ＭＩＭＯ（すなわち、同一リソース内の複数のＷＤへのデータの送信）、協調型マルチポイント（ＣＯＭＰ）（すなわち、１つ以上の協調型送信機からＷＤへのデータの送信）などのようないくつかのユースケースを伴う場合を除いて、ほとんどの場合に有用である。いくつかの場合に、ＷＤが干渉側のチャネルを測定するコヒーレント干渉測定が有用である。取りうるユースケースは、支配的な干渉源からの干渉を抑制するための正確な干渉推定である。そのようなコヒーレント干渉測定に対して、ＮＺＰ  ＣＳＩ‐ＲＳに基づくＩＭＲがよく適する。ＮＲでは、ＺＰ  ＣＳＩ‐ＲＳ及びＮＺＰ  ＣＳＩ‐ＲＳに基づく２つのタイプのＩＭＲがサポートされる可能性が高い。
【００３３】
チャネル状態情報（ＣＳＩ）フィードバックのための効率的なメカニズムが必要となる。
【発明の概要】
【００３４】
いくつかの実施形態は、チャネル状態情報（ＣＳＩ）リソースの動的インジケーションのために制御シグナリングを使用するための方法、基地局及びワイヤレス・デバイスを有利に提供する。いくつかの実施形態は、チャネル状態情報、ＣＳＩ、報告に関連するパラメータを含むＭ個のレポート設定と、チャネル測定に使用されるリソース及びこれらのプロパティを規定するパラメータを含むＮ個のリソース設定とで上位層によって構成されたワイヤレス・デバイスにおいてＣＳＩフィードバックを開始する方法を含む。方法は、ａ）上位層構成を介して、レポート設定とリソース設定との間の事前構成されたリンケージを取得することと、ｂ）上位層構成に基づいて、各リソース設定内のＳ個のＣＳＩ‐ＲＳリソース集合を決定することであって、ＣＳＩ‐ＲＳリソース集合は、チャネル測定に使用される複数のＣＳＩ‐ＲＳリソースを含む、ことと、ｃ）上位層構成を介して、リソース設定の１つ内のＳ個のＣＳＩ‐ＲＳリソース集合のうちの１つと、パラメータ構成互換性を使用してリソース設定にリンクされるＣＳＩレポート設定の一部又は全部との間の事前構成された対応を受信することと、ｄ）ＣＳＩ‐ＲＳリソース集合とＣＳＩレポート設定との間の対応に関連する動的インジケーションを受信することと、を含む。
【００３５】
別の側面によれば、基地局によって示されるチャネル状態情報参照シンボル、ＣＳＩ‐ＲＳ、リソース集合を決定するためのワイヤレス・デバイスのための方法が提供される。方法は、ＣＳＩレポート設定のインジケーションに基づいてＣＳＩ‐ＲＳリソース集合を決定することであって、ＣＳＩレポート設定は、ＣＳＩ‐ＲＳリソース集合との１対１対応を有する、ことを有する。
【００３６】
別の側面によれば、チャネル状態情報、ＣＳＩ、報告に関連するパラメータを含むＭ個のレポート設定と、チャネル測定に使用されるリソース及びこれらのプロパティを規定するパラメータを含むＮ個のリソース設定とで上位層によって構成されたワイヤレス・デバイスにおいてＣＳＩフィードバックを開始するワイヤレス・デバイスであって、ａ）
上位層構成を介して、レポート設定とリソース設定との間の事前構成されたリンケージを取得することと、ｂ）上位層構成に基づいて、各リソース設定内のＳ個のＣＳＩ‐ＲＳリソース集合を決定することであって、ＣＳＩ‐ＲＳリソース集合は、チャネル測定に使用される複数のＣＳＩ‐ＲＳリソースを含む、ことと、ｃ）上位層構成を介して、リソース設定のＣＳＩ‐ＲＳリソース集合と、パラメータ構成互換性を使用してリソース設定にリンクされるＣＳＩレポート設定の一部又は全部との間の事前構成された対応を受信することと、ｄ）ＣＳＩ‐ＲＳリソース集合とＣＳＩレポート設定との間の対応に関連する動的インジケーションを受信することと、のうちの少なくとも１つを実行するように構成された処理回路を備えるワイヤレス・デバイス。
【００３７】
さらに別の側面によれば、基地局２０によって示されるチャネル状態情報参照シンボル、ＣＳＩ‐ＲＳ、リソースを決定するためのワイヤレス・デバイス（４０）であって、ＣＳＩレポート設定のインジケーションに基づいてＣＳＩ‐ＲＳリソース集合を決定するように構成された処理回路であって、ＣＳＩ‐ＲＳレポート設定は、ＣＳＩ‐ＲＳリソース集合との１対１対応を有する、処理回路を備えるワイヤレス・デバイス。
【００３８】
さらに別の側面によれば、基地局によって示されるチャネル状態情報参照シンボル、ＣＳＩ‐ＲＳ、リソースを決定するためのワイヤレス・デバイスが提供される。ワイヤレス・デバイスは、ＣＳＩレポート設定のインジケーションに基づいてＣＳＩ‐ＲＳリソース集合を決定するための決定モジュールであって、ＣＳＩ‐ＲＳレポート設定は、ＣＳＩ‐ＲＳリソース集合との１対１対応を有する、決定モジュールを有する。
【００３９】
別の側面によれば、基地局のための方法が提供される。方法は、ＣＳＩレポート設定と１つ以上のＣＳＩ‐ＲＳリソースとの動的インジケーションをワイヤレス・デバイスに送信することであって、ＣＳＩレポート設定とＣＳＩ参照シンボル、ＲＳ、リソース集合との間の１対１対応が確立される、ことを有する。
【００４０】
別の側面によれば、ワイヤレス・デバイスへのチャネル状態情報、ＣＳＩ、リソースの動的インジケーションのための制御シグナリングを使用する基地局２０が提供される。基地局は、ＣＳＩレポート設定とＣＳＩ‐ＲＳリソースとのインジケーションをワイヤレス・デバイスに送信するように構成された処理回路であって、ＣＳＩレポート設定とＣＳＩ参照シンボル（ＲＳ）リソース集合との間の１対１対応が確立される、処理回路を備える。
【００４１】
さらに別の側面によれば、ワイヤレス・デバイスによって使用されるチャネル状態情報参照シンボル、ＣＳＩ‐ＲＳ、リソースをシグナリングするための基地局が提供される。方法は、１つ以上のＣＳＩ‐ＲＳリソース集合を選択することと、選択されたＣＳＩ‐ＲＳリソース集合のそれぞれにおいて１つ以上のＣＳＩ‐ＲＳリソースを選択することと、ＣＳＩ‐ＲＳリソース集合における最大個数のＣＳＩ‐ＲＳリソースを選択することであって、最大個数の選択は、１つ以上のＣＳＩ‐ＲＳリソース集合におけるＣＳＩ‐ＲＳリソースの個数間の類似性を実現するように計算される、ことと、のうちの少なくとも１つを含む。
【００４２】
別の側面によれば、ワイヤレス・デバイスによって使用されるチャネル状態情報参照シンボル、ＣＳＩ‐ＲＳ、リソースをシグナリングするための基地局が提供される。基地局は、１つ以上のＣＳＩ‐ＲＳリソース集合を選択することと、選択されたＣＳＩ‐ＲＳリソース集合のそれぞれにおいて１つ以上のＣＳＩ‐ＲＳリソースを選択することと、ＣＳＩ‐ＲＳリソース集合における最大個数のＣＳＩ‐ＲＳリソースを選択することであって、最大個数の選択は、１つ以上のＣＳＩ‐ＲＳリソース集合におけるＣＳＩ‐ＲＳリソースの個数間の類似性を実現するように計算される、ことと、のうちの少なくとも１つを実行するように構成された処理回路２２を含む。
【００４３】
さらに別の側面によれば、チャネル状態情報、ＣＳＩ、報告に関連するパラメータを含むＣＳＩレポートで上位層によって構成されたワイヤレス・デバイスにおいてＣＳＩフィードバックを開始する方法が提供される。方法は、ＣＳＩレポートとチャネル測定に使用されるリソースとの間の対応に関連する動的インジケーションを受信することを含む。
【００４４】
別の側面によれば、基地局によって示されるリソースのチャネル状態情報参照シンボル、ＣＳＩ‐ＲＳ、集合を決定するためのワイヤレス・デバイスのための方法。方法は、ＣＳＩレポートのインジケーションに基づいてリソースのＣＳＩ‐ＲＳ集合を決定することであって、ＣＳＩレポートは、リソースのＣＳＩ‐ＲＳ集合との１対１対応を有する、ことを有する。
【００４５】
さらに別の実施形態によれば、チャネル状態情報、ＣＳＩ、フィードバックを開始するために構成されたワイヤレス・デバイスが提供される。ワイヤレス・デバイスは、ＣＳＩ報告に関連するパラメータを含むＣＳＩレポートで上位層によって構成されている。ワイヤレス・デバイスは、ＣＳＩレポートとチャネル測定に使用されるリソースとの間の対応に関連する動的インジケーションを受信するように構成された受信機を含む。
【００４６】
別の側面によれば、基地局によって示されるリソースのチャネル状態情報参照シンボル、ＣＳＩ‐ＲＳ、集合を決定するためのワイヤレス・デバイスが提供される。ワイヤレス・デバイスは、ＣＳＩレポートのインジケーションに基づいてリソースのＣＳＩ‐ＲＳ集合を決定するように構成された処理回路であって、ＣＳＩレポートは、リソースのＣＳＩ‐ＲＳ集合との１対１対応を有する、処理回路を含む。
【図面の簡単な説明】
【００４７】
添付の図面と併せて考慮される場合に以下の詳細な説明を参照することによって、本発明の実施形態、及びそれに付随する利点及び特徴のより完全な理解がより容易に理解されるだろう。
【図１】リソースの時間‐周波数グリッドである。
【図２】無線フレームである。
【図３】３つのＯＦＤＭシンボルの説明である。
【図４】空間多重化の説明である。
【図５Ａ】第１リソース要素グリッドを説明する。
【図５Ｂ】第２リソース要素グリッドを説明する
【図５Ｃ】第３リソース要素グリッドを説明する。
【図６】半永続的ＣＳＩ‐ＲＳを説明する。
【図７】ＣＳＩフレームワークの例を説明する。
【図８】リソース設定の例である。
【図９】本書に記載された原理に従って構成されたワイヤレス通信ネットワークのブロック図である。
【図１０】本書に記載された原理に従って構成された基地局のブロック図である。
【図１１】基地局の代替の実施形態のブロック図である。
【図１２】本書に記載された原理に従って構成されたワイヤレス・デバイスのブロック図である。
【図１３】ワイヤレス・デバイスの代替の実施形態のブロック図である。
【図１４】ワイヤレス・デバイスへのＣＳＩリソースの動的インジケーションのための基地局における例示的なプロセスのフローチャートである。
【図１５】基地局によって示されるＣＳＩ‐ＲＳリソース集合を決定するためのワイヤレス・デバイスにおける例示的なプロセスのフローチャートである。
【図１６】ワイヤレス・デバイスによって受信され使用されるべきＣＳＩ‐ＲＳリソースを基地局からシグナリングするための例示的なプロセスのフローチャートである。
【図１７】ワイヤレス・デバイスにおいてＣＳＩフィードバックを開始するための例示的なプロセスのフローチャートである。
【図１８】ワイヤレス・デバイスにおいてＣＳＩフィードバックを開始するための代替の例示的なプロセスのフローチャートである。
【図１９】基地局によって示されるリソースのチャネル状態情報参照シンボル、ＣＳＩ‐ＲＳ、集合を決定するためのワイヤレス・デバイスにおける例示的なプロセスのフローチャートである。
【図２０】例示的なＣＳＩ‐ＲＳ関係の図解である。
【図２１】第２の例示的なＣＳＩ‐ＲＳ関係の図解である。
【図２２】第３の例示的なＣＳＩ‐ＲＳ関係の図解である。
【図２３】ワイヤレス・デバイスにおいてＣＳＩフィードバックを開始するための代替の例示的なプロセスのフローチャートである。
【発明を実施するための形態】
【００４８】
例示的な実施形態を詳細に説明する前に、実施形態は主に、チャネル状態情報（ＣＳＩ）フィードバックのための動的インジケーションに関連する装置コンポーネントと処理ステップとの組合せにあることに留意されたい。したがって、本書の説明の恩恵を受ける当業者に容易に見かけの詳細で本開示を不明瞭にしないように、図面中の従来のシンボルによって適宜コンポーネントが表されており、実施形態の理解に関連する特定の詳細のみを示す。本書において、開示はまた、ダウンリンク（ＤＬ）におけるワイヤレス送信に焦点を当てるが、本書で提供される開示及び概念はアップリンク（ＵＬ）において等しく適用可能である。
【００４９】
本書で使用されるように、「第１」及び「第２」、「上部」及び「底部」などの相対用語は、このようなエンティティ又は要素間の任意の物理的又は論理的関係又は順序を必ずしも必要とせず又は暗示することなく、１つのエンティティ又は要素を別のエンティティ又は要素から区別するためのみに使用されてもよい。
【００５０】
ＣＳＩフレームワーク
ＮＲについて合意されたＣＳＩフレームワークは、ＣＳＩリソースの動的再利用と同様に、多種多様なユースケースを可能にする。合意されたＣＳＩフレームワークに従って、ＷＤは、Ｎ≧１個のＣＳＩレポート設定、Ｍ≧１個のリソース設定及び１個のＣＳＩ測定設定で上位層によって構成されうる。測定設定は、各リンクが１つのレポート設定を１つのリソース設定にリンクするＬ≧１個のリンクを含む。図７は、ＮＲにおいて合意されたＣＳＩフレームワークの例を示し、Ｎ＝２、Ｍ＝４及びＬ＝５である。
【００５１】
各ＣＳＩレポート設定内で、ＷＤは、報告されたＣＳＩパラメータ、（「コードブック・ベースのチャネル状態情報（ＣＳＩ）推定及びフィードバック」と題されたセクションで説明されたものと同様の）コードブック構成パラメータ、及びＣＳＩ報告の時間領域挙動（すなわち、周期的、半永続的又は非周期的）のようなパラメータで（上位層によって）構成される。
【００５２】
各リソース設定内で、ＷＤは、Ｓ≧１個のＣＳＩ‐ＲＳリソース集合の構成で（上位層によって）構成される。各ＣＳＩ‐ＲＳリソース集合ｓ内で、ＷＤは、Ｋｓ個のＣＳＩ‐ＲＳリソースで上位層によってさらに構成され、ここで、ＣＳＩ‐ＲＳリソースは、ＲＥへの異なるマッピング、異なるポート数、及び異なる時間領域挙動（すなわち、周期的、半永続的、又は非周期的）を有しうる。Ｓ＝２個のＣＳＩ‐ＲＳリソース集合を用いた例示のリソース設定が図８に示される。この例で、２つのＣＳＩ‐ＲＳリソース集合は、それぞれ４つのＣＳＩ‐ＲＳリソースからなる（すなわち、Ｋ１＝４、Ｋ２＝４である）。図８の例に見られるように、各ＣＳＩ‐ＲＳリソース集合内のＣＳＩ‐ＲＳリソースは、混合されたポート数及び時間領域挙動を有する。
【００５３】
そして、ＷＤは、適用可能であれば、以下のものを動的に示される。
・ＣＳＩ測定設定の中から選択された１つ以上のＣＳＩレポート設定
・少なくとも１つのリソース設定から選択された１つ以上のＣＳＩ‐ＲＳリソース集合
・少なくとも１つのＣＳＩ‐ＲＳリソース集合から選択された１つ以上のＣＳＩ‐ＲＳリソース。
「制御シグナリングのためのメカニズム」と題するセクションで動的インジケーションの種々の方法が以下に説明される。
【００５４】
制御シグナリングのためのメカニズム
ＬＴＥ制御シグナリングは様々な方法で搬送されてもよく、物理ダウンリンク制御チャネル（ＰＤＣＣＨ）又は物理アップリンク制御チャネル（ＰＵＣＣＨ）上で、物理アップリンク共有チャネル（ＰＵＳＣＨ）に埋め込まれて、媒体アクセス制御（ＭＡＣ）制御要素（「ＭＡＣ  ＣＥ」）内で、又は無線リソース制御（ＲＲＣ）シグナリング内で、制御情報を搬送することを含む。これらのメカニズムの各々は、特定の種類の制御情報を搬送するようにカスタマイズされる。
【００５５】
ＰＤＣＣＨ、ＰＵＣＣＨ上で搬送されるか、又はＰＵＳＣＨに埋め込まれる制御情報は、３ＧＰＰ  ＴＳ３６．２１１、３６．２１２及び３６．２１３に記載されるように、ダウンリンク制御情報（ＤＣＩ）、アップリンク制御情報（ＵＣＩ）のような物理層関連制御情報である。ＤＣＩは一般に、何らかの物理層機能を実行するようにＷＤに命令し、その機能を実行するために必要な情報を提供するために使用される。ＵＣＩは一般に、ハイブリッド自動再送要求確認応答（ＨＡＲＱ‐ＡＣＫ）、スケジューリング要求（ＳＲ）、ＣＱＩ、ＰＭＩ、ＲＩ及び／又はＣＲＩを含むチャネル状態情報（ＣＳＩ）のような必要な情報をネットワークに提供する。ＵＣＩ及びＤＣＩはサブフレーム単位で送信されてもよく、したがって、高速フェージング無線チャネルとともに変化できるパラメータを含む、急速に変化するパラメータをサポートするように設計される。ＵＣＩ及びＤＣＩがサブフレームごとに送信されうるので、所与のセルに対応するＵＣＩ又はＤＣＩは、制御オーバヘッドの量を制限するために、数十ビットのオーダである傾向がある。
【００５６】
ＭＡＣ  ＣＥで搬送される制御情報は、３ＧＰＰ  ＴＳ３６．３２１に記載されているように、アップリンク及びダウンリンク共有トランスポート・チャネル（ＵＬ‐ＳＣＨ及びＤＬ‐ＳＣＨ）上のＭＡＣヘッダで搬送される。ＭＡＣヘッダが固定サイズを有しないため、ＭＡＣ  ＣＥにおける制御情報はそれが必要な場合に送信されることができ、固定オーバヘッドを必ずしも呈しない。さらに、ＭＡＣ  ＣＥは、リンク適合、ＨＡＲＱからの利益を受け、及びターボ符号化されうるＵＬ‐ＳＣＨ又はＤＬ‐ＳＣＨトランスポート・チャネルで搬送されるため、より大きな制御ペイロードを効率的に搬送できる。ＭＡＣ  ＣＥは、タイミング・アドバンス又はバッファ状態報告を維持することのような、パラメータの固定集合を使用する反復タスクを実行するために使用されるが、これらのタスクは一般に、サブフレーム単位でのＭＡＣ  ＣＥの送信を必要としない。従って、ＰＭＩ、ＣＱＩ、ＲＩ、ＣＲＩのような高速フェージング無線チャネルに関連するチャネル状態情報は、Ｒｅｌ‐１４までのＬＴＥにおいてＭＡＣ  ＣＥで搬送されない。
【００５７】
Ｎ個のＣＳＩレポート設定、Ｓ個のＣＳＩ‐ＲＳリソース集合を有するリソース設定からなる測定設定を有するＣＳＩフレームワークを検討する。ここで、各ＣＳＩ‐ＲＳリソース集合はＫｓ個のＣＳＩ‐ＲＳリソースからなる。この場合に、Ｎ個のＣＳＩレポート設定のうちの１つを選択するための動的インジケーションは、
0006975794.tif 000005
ビットを必要とする。Ｓ個のＣＳＩ‐ＲＳリソース集合から１つのＣＳＩ‐ＲＳリソース集合を選択するための動的インジケーションは、
0006975794.tif 000006
ビットを必要とする。Ｋｓ個のリソースからＣＳＩ‐ＲＳリソースの１つを選択するための動的インジケーションは、
0006975794.tif 000007
ビットを必要とする。したがって、１つのＣＳＩレポート設定、１つのＣＳＩ‐ＲＳリソース集合及び１つのＣＳＩ‐ＲＳリソースを選択するために必要なビットの総数は、
0006975794.tif 000008
ビットである。これは、Ｎ、Ｓ、Ｋｓの値が大きい場合に、動的インジケーションのための大きな制御シグナリング・オーバーヘッドになりうる。複数のＣＳＩレポート設定、複数のＣＳＩ‐ＲＳリソース集合及び複数のＣＳＩ‐ＲＳリソースが選択される必要がある場合に、動的インジケーションのための制御シグナリング・オーバヘッドはさらに大きくなる。
【００５８】
さらに、すべてのＣＳＩ‐ＲＳリソースがすべてのＣＳＩレポート設定と互換性を有するわけではない。例えば、４ポートを有するＣＳＩ‐ＲＳリソースは、８ポートをサポートするコードブック構成を有するＣＳＩレポートと互換性を有しない（つまり、互換性を有するために、ポート数は、ＣＳＩ‐ＲＳリソースとコードブック構成とで同じであるべきである）。さらに、ＣＳＩレポート設定のタイミング挙動（すなわち、周期的、半永続的、非継続的）は、ＣＳＩ‐ＲＳリソースのタイミング挙動と互換性を有しなければならない。ＣＳＩ‐ＲＳリソースとＣＳＩ報告との特定のタイミング挙動の組み合わせのみがＮＲでサポートされることに同意されていることに留意すべきである（表２参照）。したがって、動的インジケーションのための制御シグナリング・オーバヘッドを最小化するように測定設定をどのように効率的に構成するかは未解決問題である。
【００５９】
既存のアプローチの別の問題は、３つの異なるエンティティ（３つのエンティティは、ＣＳＩレポート設定、ＣＳＩ‐ＲＳリソース集合及びＣＳＩ‐ＲＳリソースである）の選択について、ＷＤが動的に示される、すなわち、通知される必要があることである。これは、動的インジケーションのためのシグナリング設計を複雑にしうる。
【００６０】
第１実施形態（以下、実施形態Ａ）において、１つのＣＳＩレポート設定と、当該１つのＣＳＩレポートがリンクされるリソース設定内に含まれるＣＳＩ‐ＲＳリソース集合との間に１対１対応を形成することによって、動的インジケーションに必要な制御シグナリングが最小化される。
【００６１】
第２実施形態（以下、実施形態Ｂ）において、各ＣＳＩレポート設定内でレポート部分集合が作成される。１つのＣＳＩレポート設定内に含まれる１つのレポート部分集合と、当該１つのＣＳＩレポートがリンクされるリソース設定内に含まれるＣＳＩ‐ＲＳリソース集合との間に１対１対応を形成することによって、動的インジケーションに必要な制御シグナリングが最小化される。
【００６２】
第１実施形態の利点は、動的インジケーションが単純化され、関連する制御シグナリング・オーバヘッドが最小化されることを含んでもよい。ＣＳＩレポート設定とＣＳＩ‐ＲＳリソース集合との間の１対１対応により、ＣＳＩ‐ＲＳリソース集合の選択は、ＣＳＩレポート設定の動的インジケーションから暗黙的に推測されうる。したがって、動的に示される必要があるのは２つの異なるエンティティのみである（２つのエンティティは、ＣＳＩレポート設定及びＣＳＩ‐ＲＳリソースである）。制御シグナリング・オーバヘッドを最小化する観点から、１つのＣＳＩレポート設定、１つのＣＳＩ‐ＲＳリソース集合及び１つのＣＳＩ‐ＲＳリソースを選択するために必要となるビットの総数は
0006975794.tif 000009
ビットであり、ここで、ＮはＣＳＩレポート設定の個数であり、ＫｓはＫｓ個のＣＳＩ‐ＲＳリソース集合内のＣＳＩ‐ＲＳリソースの個数である。したがって、動的インジケーションのためのビット数は、
0006975794.tif 000010
ビットだけ低減される。
【００６３】
第２実施形態の利点は、関連する制御シグナリング・オーバヘッドが最小化されることを含んでもよい。レポート部分集合とＣＳＩ‐ＲＳリソース集合との間の１対１対応により、レポート部分集合の選択は、ＣＳＩ‐ＲＳリソース集合の動的インジケーション及びＣＳＩレポート設定の動的インジケーションから暗黙的に推測されうる。複数のレポート部分集合が単一のＣＳＩレポート設定に含まれるので、ＣＳＩレポート設定を動的に示すのに必要なビット数が最小化されうる。
【００６４】
図９は、本書に記載された原理に従って構築されたワイヤレス通信ネットワーク１０のブロック図である。ワイヤレス通信ネットワーク１０は、公衆交換電話網及び／又はインターネットを含んでもよいネットワーク・クラウド１６を含み、サービス・プロバイダのバックホール・ネットワークを含んでもよい。第１基地局２０Ａ及び第２基地局２０Ｂは、本書で集合的に基地局２０と呼ばれ、クラウド１６と通信し、互いに通信してもよい。基地局２０は、本書では集合的にＷＤ４０と呼ばれる１つ以上のワイヤレス・デバイス４０Ａ及び４０Ｂとも通信してもよい。基地局２０は、ＣＳＩレポート設定とＣＳＩ参照シンボル（ＲＳ）リソース集合との間の１対１対応と、レポート部分集合とＣＳＩ‐ＲＳリソース集合との間の１対１対応とのうちの１つを決定する１対１対応確立部３０を含む。相補的に、ＷＤ４０は、ＣＳＩレポート設定のインジケーションに基づくＣＳＩ‐ＲＳリソース集合と、ＣＳＩレポート及びＣＳＩ‐ＲＳリソース集合に基づくレポート部分集合とのうちの１つを決定するＣＳＩ‐ＲＳリソース決定部５０を含む。
【００６５】
図１０は、本書に記載された原理に従って構成された基地局のブロック図である。基地局２０は処理回路２２を有する。いくつかの実施形態において、処理回路は、メモリ２４及びプロセッサ２６を含んでもよく、メモリ２４は、プロセッサ２６によって実行された場合に本書で説明される１つ以上の機能を実行するようにプロセッサ２６を構成する命令を含む。従来のプロセッサ及びメモリに加えて、処理回路２２は、処理及び／又は制御のための集積回路、例えば、１つ以上のプロセッサ及び／又はプロセッサ・コア及び／又はＦＰＧＡ（フィールド・プログラマブル・ゲート・アレイ）及び／又はＡＳＩＣ（特定用途向け集積回路）を含んでもよい。
【００６６】
処理回路２２は、任意の種類の揮発性及び／又は不揮発性メモリ、例えば、キャッシュ及び／又はバッファ・メモリ及び／又はＲＡＭ（ランダム・アクセス・メモリ）及び／又はＲＯＭ（リード・オンリ・メモリ）及び／又は光学メモリ及び／又はＥＰＲＯＭ（消去可能プログラマブル・リード・オンリ・メモリ）を含んでもよいメモリ２４を含んでもよいし、及び／又はこれに接続されてもよいし、及び／又はこれにアクセスする（例えば、これに書き込み及び／又はこれから読み出す）ように構成されてもよい。このようなメモリ２４は、制御回路によって実行可能なコード及び／又は他のデータ、例えば、通信に関係するデータ、例えば、ノードの構成及び／又はアドレス・データなどを記憶するように構成されてもよい。処理回路２２は、本書で説明される方法のいずれかを制御するように構成されてもよく、及び／又は、このような方法を、例えば、プロセッサ２６によって実行させるように構成されてもよい。処理回路２２に読み出し可能であってもよい及び／又は読み出し可能に接続されてもよいメモリ２４に、対応する命令が記憶されてもよい。言い換えると、処理回路２２は、マイクロプロセッサ及び／又はマイクロコントローラ及び／又はＦＰＧＡ（フィールド・プログラマブル・ゲート・アレイ）デバイス及び／又はＡＳＩＣ（特定用途向け集積回路）デバイスを備えてもよいコントローラを含んでもよい。処理回路２２は、コントローラ及び／又は処理回路２２によって読み出し及び／又は書き込みのためにアクセス可能であるように構成されてもよいメモリを含むか、又はこのメモリに接続され又は接続可能であってもよいことが検討されてもよい。
【００６７】
メモリ２４は、ＣＳＩレポート設定とＣＳＩ参照シンボル（ＲＳ）リソース集合との間の対応に関する対応情報、及び／又はレポート部分集合とＣＳＩ‐ＲＳリソース集合との間の対応に関する対応情報を含んでもよいＣＳＩ‐ＲＳリソース情報２８を記憶するように構成される。プロセッサ２６は、ＣＳＩレポート設定とＣＳＩ参照シンボル（ＲＳ）リソース集合との間、及び／又はレポート部分集合とＣＳＩ‐ＲＳリソース集合との間の１対１対応を確立する１対１対応確立部３０を実装するように構成される。受信機３２は、１つ以上のワイヤレス・デバイス４０からチャネル品質測定結果を受信してもよい。送信機３４は、いくつかの実施形態において、ＣＳＩレポート設定及びＣＳＩ‐ＲＳリソースのインジケーションをワイヤレス・デバイス４０に送信するように構成される。
【００６８】
図１１はＣＳＩ‐ＲＳ情報２８を記憶するように構成されたメモリ２４を有し、ＣＳＩレポート設定とＣＳＩ参照シンボル（ＲＳ）リソース集合との間の１対１対応と、レポート部分集合とＣＳＩ‐ＲＳリソース集合との間の１対１対応とのうちの１つを確立するための関連付けモジュール３１を有する基地局２０の代替の実施形態のブロック図である。
【００６９】
ＣＳＩレポート設定とＣＳＩ参照シンボル（ＲＳ）リソース集合との間の１対１対応が確立される場合に、ＣＳＩ‐ＲＳリソース集合は、ＣＳＩレポート設定のインジケーションからワイヤレス・デバイス４０において推測されてもよい。また、レポート部分集合とＣＳＩ‐ＲＳリソース集合との間の１対１対応が確立される場合に、レポート部分集合は、ＣＳＩ‐ＲＳリソース集合のインジケーション及びＣＳＩ報告設定のインジケーションからワイヤレス・デバイス４０において推測されてもよい。受信機モジュール３３は、ワイヤレス・デバイス４０からチャネル品質測定結果を受信するように構成される。送信機モジュール３５は、いくつかの実施形態において、ＣＳＩレポート設定及びＣＳＩ‐ＲＳリソースのインジケーションをワイヤレス・デバイス４０に送信するように構成される。
【００７０】
本書では基地局２０によって実行される特定の機能を参照して実施形態が説明されるが、機能は他のネットワーク・ノード及び要素において実行されうることが理解される。また、基地局２０又は他のネットワーク・ノードの機能は、他のノードが本書に記載される機能の１つ以上の機能又は一部を実行できるように、ネットワーク・クラウド１６にわたって分散されうることも理解される。
【００７１】
さらに、基地局、例えば、無線基地局（ＲＢＳ）という用語は、使用される技術及び用語に応じて、本書において、例えば、発展型ノードＢ「ｅＮＢ」、「ｅノードＢ」、「ノードＢ」、「Ｂノード」、「ｇＮＢ」、「ｇノードＢ」、又はＢＴＳ（基地送受信局）と呼ばれてもよい。基地局２０は例えば、送信電力に基づき、それゆえセル・サイズに基づいて、マクロｅノードＢ、ホームｅノードＢ、又はピコ基地局のような異なるクラスのものであってもよい。セルは、基地局サイトにおいて基地局２０によって無線カバレッジが提供される地理的エリアである。基地局サイトに位置する１つの基地局２０は、１つ以上のセルにサービスを提供してもよい。さらに、各基地局２０は、１つ以上の通信技術をサポートしてもよい。基地局２０は、無線周波数で動作するエア・インタフェースを介して、基地局２０の範囲内の端末と通信する。本開示の文脈において、ダウンリンク（ＤＬ）という表現は、基地局２０からＷＤ４０への伝送経路のために使用される。アップリンク（ＵＬ）という表現は、反対方向、すなわちＷＤ４０から基地局２０への伝送経路のために使用される。
【００７２】
第３世代パートナシップ・プロジェクト（３ＧＰＰ）ロング・ターム・エボリューション（ＬＴＥ）において、ｅノードＢ又はｅＮＢと呼ばれてもよい基地局、又は５Ｇ及びＮＲにおいてｇノードＢ又はｇＮＢと呼ばれてもよい基地局は、１つ以上のコア・ネットワークに直接接続されてもよい。さらに、基地局を参照して実施形態が説明されるが、実施形態は基地局２０がそのタイプである任意の適切なネットワーク・ノードにおいて、又はこれにわたって実装されうることが理解される。また、基地局２０又は他のネットワーク・ノードの機能は、他のノードが本書に記載される機能の１つ以上の機能又は一部を実行できるように、ネットワーク・クラウド１６にわたって分散されうることも理解される。
【００７３】
図１２は、ＷＤ４０のブロック図である。ＷＤ４０は処理回路４２を有する。いくつかの実施形態において、処理回路は、メモリ４４及びプロセッサ４６を含んでもよく、メモリ４４は、プロセッサ４６によって実行された場合に本書で説明される１つ以上の機能を実行するようにプロセッサ４６を構成する命令を含む。従来のプロセッサ及びメモリに加えて、処理回路４２は、処理及び／又は制御のための集積回路、例えば、１つ以上のプロセッサ及び／又はプロセッサ・コア及び／又はＦＰＧＡ（フィールド・プログラマブル・ゲート・アレイ）及び／又はＡＳＩＣ（特定用途向け集積回路）を備えてもよい。
【００７４】
処理回路４２は、任意の種類の揮発性及び／又は不揮発性メモリ、例えば、キャッシュ及び／又はバッファ・メモリ及び／又はＲＡＭ（ランダム・アクセス・メモリ）及び／又はＲＯＭ（リード・オンリ・メモリ）及び／又は光学メモリ及び／又はＥＰＲＯＭ（消去可能プログラマブル・リード・オンリ・メモリ）を含んでもよいメモリ４４を含んでもよいし、及び／又はこれに接続されてもよいし、及び／又はこれにアクセスする（例えば、これに書き込み及び／又はこれから読み出す）ように構成されてもよい。このようなメモリ４４は、制御回路によって実行可能なコード及び／又は他のデータ、例えば、通信に関係するデータ、例えば、ノードの構成及び／又はアドレス・データなどを記憶するように構成されてもよい。処理回路４２は、本書で説明される方法のいずれかを制御するように構成されてもよく、及び／又は、このような方法を、例えば、プロセッサ４６によって実行させるように構成されてもよい。処理回路４２に読み出し可能であってもよい及び／又は読み出し可能に接続されてもよいメモリ４４に、対応する命令が記憶されてもよい。言い換えると、処理回路４２は、マイクロプロセッサ及び／又はマイクロコントローラ及び／又はＦＰＧＡ（フィールド・プログラマブル・ゲート・アレイ）デバイス及び／又はＡＳＩＣ（特定用途向け集積回路）デバイスを備えてもよいコントローラを含んでもよい。処理回路４２は、コントローラ及び／又は処理回路４２によって読み出し及び／又は書き込みのためにアクセス可能であるように構成されてもよいメモリを含むか、又はこのメモリに接続され又は接続可能であってもよいことが検討されてもよい。
【００７５】
メモリ４４は、ＣＳＩレポート設定、ＣＳＩレポート及びＣＳＩ‐ＲＳリソース集合のインジケーションを含んでもよいＣＳＩ‐ＲＳリソース情報４８を記憶するように構成される。プロセッサ４６は、ＣＳＩレポート設定のインジケーションに基づくＣＳＩ‐ＲＳリソース集合と、ＣＳＩレポート及びＣＳＩ‐ＲＳリソース集合に基づくレポート部分集合とのうちの１つを決定するためのＣＲＳ‐ＲＤリソース決定部５０を実装するように構成される。いくつかの実施形態において、ＣＳＩレポート設定はＣＳＩ‐ＲＳリソース集合との１対１対応を有し、ＣＳＩ‐ＲＳリソース集合はレポート設定との１対１対応を有する。受信機５２は、いくつかの実施形態において、ＣＳＩレポート設定及びＣＳＩ‐ＲＳリソースのインジケーションを基地局から受信するように構成される。送信機５４は、基地局２０にチャネル品質測定結果を送信するように構成される。
【００７６】
図１３は、メモリ４４と、決定モジュール５１と、受信機モジュール５３と、送信機モジュール５５とを有するワイヤレス・デバイス４０の代替の実施形態のブロック図である。メモリ・モジュール４４は、ＣＳＩ‐ＲＳリソース情報４８を記憶する。決定モジュール５１は、ＣＳＩレポート設定のインジケーションに基づくＣＳＩ‐ＲＳリソース集合と、ＣＳＩレポート及びＣＳＩ‐ＲＳリソース集合に基づくレポート部分集合とのうちの１つを決定するように構成される。受信機モジュール５３は、いくつかの実施形態において、ＣＳＩレポート設定及びＣＳＩ‐ＲＳリソースのインジケーションを基地局から受信するように構成される。送信機モジュール５５は、基地局２０にチャネル品質測定結果を送信するように構成される。
【００７７】
一部の実施形態で、「ワイヤレス・デバイス」という非限定的な用語が使用される。本書におけるワイヤレス・デバイス４０は、基地局２０のようなネットワーク・エンティティ、又はユーザ機器（ＵＥ）のような別のワイヤレス・デバイス４０と、無線信号を介して通信可能な任意のタイプのワイヤレス・デバイスでありうる。ワイヤレス・デバイス４０はまた、無線通信デバイス、ターゲット・デバイス、デバイス・ツー・デバイス（Ｄ２Ｄ）ワイヤレス・デバイス、機械型ワイヤレス・デバイス、マシン・ツー・マシン通信（Ｍ２Ｍ）可能なワイヤレス・デバイス、ワイヤレス・デバイスに搭載されたセンサ、ｉＰａｄ、タブレット、モバイル端末、スマートフォン、ラップトップ組み込み機器（ＬＥＥ）、ラップトップ搭載機器（ＬＭＥ）、ＵＳＢドングル、顧客構内機器（ＣＰＥ）などであってもよい。
【００７８】
図１４は、ワイヤレス・デバイス４０へのチャネル状態情報（ＣＳＩ）リソースの動的インジケーションのために制御シグナリングを使用する基地局２０で使用される例示的なプロセスのフローチャートである。第１ケースにおいて、ＣＳＩレポート設定のインジケーションからワイヤレス・デバイス４０においてＣＳＩ‐ＲＳリソース集合が決定されうるように、ＣＳＩレポート設定とＣＳＩ‐ＲＳリソース集合との間の１対１対応が確立される（ブロックＳ１００）。いくつかの実施形態において、ＣＳＩレポート設定及びＣＳＩ‐ＲＳリソースのインジケーションが送信機３４を介してワイヤレス・デバイス４０に送信される（ブロックＳ１０２）。
【００７９】
図１５は、基地局によって示されるＣＳＩ‐ＲＳリソース集合を決定するためのワイヤレス・デバイス４０における例示的なプロセスのフローチャートである。プロセスは、決定部５０を介して、ＣＳＩレポート設定のインジケーションに基づいてＣＳＩ‐ＲＳリソース集合を決定することを含み、ＣＳＩレポート設定は、ＣＳＩ‐ＲＳリソース集合との１対１対応を有する（ブロックＳ１０４）。いくつかの実施形態において、ＣＳＩレポート設定及びＣＳＩ‐ＲＳリソースのインジケーションが受信機５２を介してワイヤレス・デバイス４０で受信される（ブロックＳ１１０）。
【００８０】
図１６は、ワイヤレス・デバイス４０によって使用されるＣＲＳ‐ＲＳリソースをシグナリングするための例示的なプロセスのフローチャートである。プロセスは、処理回路２２を介して、１つ以上のＣＳＩ‐ＲＳリソース集合を選択することを含む（ブロックＳ１０８）。プロセスはまた、処理回路２２を介して、選択されたＣＳＩ‐ＲＳリソース集合のそれぞれの中の１つ以上のＣＳＩ‐ＲＳリソースを選択することを含む（ブロックＳ１１０）。プロセスはまた、処理回路２２を介して、ＣＳＩ‐ＲＳリソース集合における最大個数のＣＳＩ‐ＲＳリソースを選択することを含み、最大個数の選択は、１つ以上のＣＳＩ‐ＲＳリソース集合におけるＣＳＩ‐ＲＳリソースの個数間の類似性を実現するように計算される（ブロックＳ１１２）。
【００８１】
図１７は、ＣＳＩ報告に関連するパラメータを含むＣＳＩレポートで上位層によって構成されたワイヤレス・デバイス４０においてＣＳＩフィードバックを開始するための例示的なプロセスのフローチャートが提供される。プロセスは、ＣＳＩレポート（又はＣＳＩレポート構成）とチャネル測定に使用されるリソースとの間の対応に関連する動的インジケーションを受信することを含む（ブロックＳ１１４）。
【００８２】
図１８は、チャネル状態情報、ＣＳＩ、報告に関連するパラメータを含むＭ個のレポート設定と、チャネル測定に使用されるリソース及びこれらのプロパティを規定するパラメータを含むＮ個のリソース設定とのうちの少なくとも１つで上位層によって構成されたワイヤレス・デバイス４０においてチャネル状態情報、ＣＳＩ、フィードバックを開始するための例示的な方法のフローチャートが提供される。プロセスは、リソース設定とレポート設定との間の対応に関連する動的インジケーションを受信することを含む（ブロックＳ１１６）。
【００８３】
図１９は、基地局２０によって示されるリソースのチャネル状態情報参照シンボル、ＣＳＩ‐ＲＳ、集合を決定するためのワイヤレス・デバイスにおける例示的なプロセスのフローチャートが提供される。プロセスは、ＣＳＩレポート（又はＣＳＩレポート構成）のインジケーションに基づいてリソースのＣＳＩ‐ＲＳ集合を決定することを含み、ＣＳＩレポート（又はＣＳＩレポート構成）は、リソースのＣＳＩ‐ＲＳ集合との１対１対応を有する（ブロックＳ１１８）。この態様によれば、いくつかの実施形態において、ＣＳＩ‐ＲＳリソース集合は、チャネル測定に使用されるリソースを含む。
【００８４】
いくつかの実施形態において、本書で言及される対応は、ＲＲＣで構成される。さらに、いくつかの実施形態において、ＣＳＩレポートを動的にトリガすることによって、構成された対応が与えられると、ＣＳＩリソースが自動的にトリガされる。
【００８５】
実施形態Ａ
実施形態Ａにおいて、リソース設定内のＣＳＩ‐ＲＳリソース集合が同じ構成パラメータ（例えば、同じポート数及び同じ時間領域挙動、すなわち、周期的、半永続的、非周期的ＣＳＩ‐ＲＳリソース）を有するＣＳＩ‐ＲＳリソースを含むようにＷＤ内の各リソース設定が構成される。図２０は、リソース設定０がＳ＝３個の異なるＣＳＩ‐ＲＳリソース集合を含むこの実施形態の例を示す。３つのＣＳＩ‐ＲＳリソース集合の各々は、同じ構成パラメータを有するＣＳＩ‐ＲＳリソースを有する。例えば、ＣＳＩ‐ＲＳリソース集合０は４ポート及び非周期的時間領域挙動を両方が有する２つのＣＳＩ‐ＲＳリソースを含み、ＣＳＩ‐ＲＳリソース集合１は、８ポート及び半永続的時間領域挙動を両方が有する２つのＣＳＩ‐ＲＳリソースを含むなどである。
【００８６】
さらに、実施形態Ａにおいて、Ｓ個の異なるＣＳＩ‐ＲＳリソース集合を含むリソース設定がＳ個のＣＳＩレポート設定にリンクされ、ｓ番目のＣＳＩレポート設定はリソース集合内のｓ番目のＣＳＩ‐ＲＳリソース集合に対応する。互いに対応するＣＳＩレポート設定‐ＣＳＩ‐ＲＳリソース集合のペアは、互換性を有するパラメータ構成を有する。図２０の例において、３２ポートのコードブック構成を有するＣＳＩ‐ＲＳレポート設定２は、３２ポートのＣＳＩ‐ＲＳリソースを含むＣＳＩ‐ＲＳリソース集合２に対応する。さらに、ＣＳＩ‐ＲＳレポート設定２は非周期的であり、ＣＳＩ‐ＲＳリソース集合２も非周期的ＣＳＩ‐ＲＳリソースを含む。したがって、ＣＳＩ‐ＲＳレポート設定２はポート数及び時間領域動作の両方の観点からＣＳＩ‐ＲＳリソース集合２と互換性を有する。この例はポート数及び時間領域挙動の観点で互換性を示すが、実施形態ＡにおけるＣＳＩ‐ＲＳレポート設定とＣＳＩ‐ＲＳリソース集合との間の互換性の概念は他のパラメータに関しても同様に容易に拡張されうる。
【００８７】
実施形態Ａの利点は、動的インジケーションが単純化され、関連する制御シグナリング・オーバヘッドが最小化されることを含んでもよい。ＣＳＩレポート設定とＣＳＩ‐ＲＳリソース集合との間の１対１対応により、ＣＳＩ‐ＲＳリソース集合の選択は、ＣＳＩレポート設定の動的インジケーションから暗黙的に推測されうる。したがって、動的に示される必要があるのは２つの異なるエンティティのみである（２つのエンティティは、ＣＳＩレポート設定及びＣＳＩ‐ＲＳリソースである）。制御シグナリング・オーバヘッドを最小化する観点から、１つのＣＳＩレポート設定、１つのＣＳＩ‐ＲＳリソース集合及び１つのＣＳＩ‐ＲＳリソースを選択するために必要となるビットの総数は
0006975794.tif 000011
ビットであり、ここで、ＮはＣＳＩレポート設定の個数であり、ＫｓはＫｓ個のＣＳＩ‐ＲＳリソース集合内のＣＳＩ‐ＲＳリソースの個数である。したがって、動的インジケーションのためのビット数は、
0006975794.tif 000012
ビットだけ低減される。
【００８８】
いくつかの実施形態において、動的インジケーションのためにＤＣＩシグナリングが使用される。いくつかの実施形態において、動的シグナリングのためにＭＡＣ  ＣＥが使用される。
【００８９】
オプションとして、実施形態Ａの変形において、同じＣＳＩ‐ＲＳリソース集合内のＣＳＩ‐ＲＳリソースは、パラメータの部分集合のみについて同じ構成を有してもよい。図２１の例において、８ポートのコードブック構成を有するＣＳＩレポート設定１は、８ポートのＣＳＩ‐ＲＳリソースを含むＣＳＩ‐ＲＳリソース集合１に対応する。しかし、ＣＳＩ‐ＲＳリソース集合１内の２つのリソースの時間領域挙動は異なる（すなわち、一方のＣＳＩ‐ＲＳリソースは非周期的であるが、他方は半永続的である）。ＣＳＩ‐ＲＳリソース集合１内の２つのＣＳＩ‐ＲＳリソースが異なる時間領域挙動を有するにもかかわらず、これらは両方ともＣＳＩレポート設定１の時間領域挙動と互換性を有する（非周期的ＣＳＩ‐ＲＳ及び半永続的ＣＳＩ‐ＲＳの両方が非周期的ＣＳＩ報告と互換性を有することを表２から思い出されたい）。この場合に、どのタイプのＣＳＩ‐ＲＳリソースを使用するか（すなわち、非周期的か半永続的か）は、動的インジケーションによって決定されうる。
【００９０】
実施形態Ｂ
実施形態Ｂにおいて、Ｓ個の異なるＣＳＩ‐ＲＳリソース集合を含むリソース設定が１つのＣＳＩレポート設定にリンクされる。リソース設定にリンクされたＣＳＩレポート設定は、Ｓ個の異なるレポート部分集合を含む。ＣＳＩレポート設定内のｓ番目のレポート部分集合は、リソース設定内のｓ番目のＣＳＩ‐ＲＳリソース集合に対応する。図２２の例において、３２ポートのコードブック構成を有するレポート部分集合２は、３２ポートのＣＳＩ‐ＲＳリソースを含むＣＳＩ‐ＲＳリソース集合２に対応する。さらに、レポート部分集合２は非周期的であり、ＣＳＩ‐ＲＳリソース集合２も非周期的ＣＳＩ‐ＲＳリソースを含む。したがって、レポート部分集合２は、ポート数及び時間領域動作の両方の観点からＣＳＩ‐ＲＳリソース集合２と互換性を有する。この例はポート数及び時間領域挙動の観点で互換性を示すが、実施形態Ｂにおけるレポート部分集合とＣＳＩ‐ＲＳリソース集合との間の互換性の概念は他のパラメータに関しても同様に容易に拡張されうる。
【００９１】
実施形態Ｂの利点は、この実施形態が、関連する制御シグナリング・オーバヘッドを最小化することであってもよい。レポート部分集合とＣＳＩ‐ＲＳリソース集合との間の１対１対応により、レポート部分集合の選択は、ＣＳＩ‐ＲＳリソース集合の動的インジケーション及びＣＳＩレポート設定の動的インジケーションから暗黙的に推測されうる。複数のレポート部分集合が単一のＣＳＩレポート設定に含まれるので、ＣＳＩレポート設定を動的に示すのに必要なビット数は、４つのエンティティ（ＣＳＩレポート設定、レポート部分集合、ＣＳＩ‐ＲＳリソース集合及びＣＳＩ‐ＲＳリソース）がすべて動的に明示的に示される場合と比較して最小化されうる。
【００９２】
いくつかの実施形態において、動的インジケーションのためにＤＣＩシグナリングが使用される。いくつかの実施形態において、動的シグナリングのためにＭＡＣ  ＣＥが使用される。
【００９３】
実施形態Ｃ
ワイヤレス・デバイス４０に複数のＣＳＩ‐ＲＳリソース集合が構成されてもよく、ＣＳＩ‐ＲＳリソース集合ごとに、複数のＣＳＩ‐ＲＳリソースが存在してもよいことに留意されたい。実施形態Ｃにおいて、最初にＣＳＩ‐ＲＳリソース集合を選択し、その後、選択された集合内の１つ以上のＣＳＩ‐ＲＳリソースを選択することによって、１つ以上のＣＳＩ‐ＲＳリソースが選択される。リソース選択に必要なビット数はＣＳＩ‐ＲＳリソース集合の個数と集合内のＣＳＩ‐ＲＳリソースの最大数とに応じて設計される必要があるので、効率的な動的シグナリング／インジケーションのために、ＣＳＩ‐ＲＳリソース集合の各々におけるＣＳＩ‐ＲＳリソースの個数は、可能な限り類似するべきである。例えば、４個のＣＳＩ‐ＲＳリソース集合が存在し、第１設定が１６個のＣＳＩ‐ＲＳリソースを有するが、他の３個のＣＳＩ‐ＲＳリソース集合がそれぞれ４個のリソースを有する（すなわち、全２８のリソース）ならば、ＣＳＩ‐ＲＳリソースを選択するためには全６ビット、すなわち、ＣＳＩ‐ＲＳリソース集合選択のための２ビットと、選択された集合におけるＣＳＩ‐ＲＳリソース選択のための４ビットとが必要とされる。一方、２８個のＣＳＩ‐ＲＳリソースが、１４個のＣＳＩ‐ＲＳリソースをそれぞれが有する２つのＣＳＩ‐ＲＳリソース集合内にあるならば、５ビットのみが必要となる。
【００９４】
別の実施形態において、各ＣＳＩ‐ＲＳリソース集合は、異なるアンテナ・ポート数を有し、異なる時間領域挙動を有するＣＳＩ‐ＲＳリソースを含んでもよく、すなわち、これらは周期的又は非周期的ＣＳＩ‐ＲＳリソースでありうる。複数のＣＳＩレポート設定は、１つのＣＳＩ‐ＲＳリソース集合及び当該選択されたＣＳＩ‐ＲＳリソース集合内の１つ以上のＣＳＩ‐ＲＳリソースに動的に関連付けられうる。表３に例が示されており、ここで、ワイヤレス・デバイス４０に３つのＣＳＩ‐ＲＳリソース集合が構成される。最初の集合において、ＵＥは、８ポートを有する６個のＣＳＩ‐ＲＳリソースと、３２ポートを有する１個のＣＳＩ‐ＲＳリソースとで構成され、ＣＳＩ‐ＲＳリソースは異なる時間領域挙動を有する。これは、３２ポートを有するＣＳＩ‐ＲＳリソース＃５を使用して周期的ＣＳＩが報告されるハイブリッドＣＳＩ報告をサポートするために使用されうる。非周期的ＣＳＩ報告も、３２ポートに対してリソース＃５で行われうる。８ポートに対する非周期的ＣＳＩ報告は、４個の８ポートＣＳＩ‐ＲＳリソース、すなわちＣＳＩ‐ＲＳリソース集合０内のリソース＃０〜３のうちの動的に選択された何れか１つを使用するか、又は８ポートの半永続的ＣＳＩ‐ＲＳリソース＃４を使用できる。ＣＳＩ‐ＲＳリソース集合＃１及び＃２は、ＣｏＭＰ送信方式において他のＴＲＰからのＣＳＩ報告を実行するために使用されてもよい。
【００９５】
いくつかの場合において、ＣＳＩ‐ＲＳリソース集合全体におけるＣＳＩ‐ＲＳリソースは、すべてのＣＳＩ‐ＲＳリソースにわたって測定されたすべてのＣＳＩの中からの最良のＣＳＩ又は最良のΩ参照信号受信電力（ＲＳＲＰ）を報告するために選択されうる。ここで、各ＲＳＲＰは、選択されたＣＳＩ‐ＲＳリソース集合内のＣＳＩ‐ＲＳリソースのうちの１つに対応する。
【００９６】
ＣＳＩ‐ＲＳリソース集合の個数と、各ＣＳＩ‐ＲＳリソース集合内のＣＳＩ‐ＲＳリソースの最大数とは、各デプロイメント・シナリオに従って、ＣＳＩ‐ＲＳリソース選択のための動的インジケーションで使用されるビット数を最小化するように半静的に構成されてもよい。
0006975794.tif 000013
【００９７】
図２３は、ＣＳＩ報告に関連するパラメータを含むＭ個のレポート設定と、チャネル測定に使用されるリソース及びこれらのプロパティを規定するパラメータを含むＮ個のリソース設定とで上位層によって構成されたワイヤレス・デバイス４０においてＣＳＩフィードバックを開始するための代替の例示的な方法のフローチャートが提供される。プロセスは、上位層構成を介してレポート設定とリソース設定との間の事前構成されたリンケージを取得すること（Ｓ１２０）と、上位層構成に基づいて各リソース設定内のＳ個のＣＳＩ‐ＲＳリソース集合を決定することであって、ＣＳＩ‐ＲＳリソース集合は、チャネル測定に使用される複数のＣＳＩ‐ＲＳリソースを含む、こと（Ｓ１２２）と、上位層構成を介して、リソース設定のうちの１つ内のＳ個のＣＳＩ‐ＲＳリソース集合のうちの１つと、パラメータ構成互換性を使用してリソース設定にリンクされるＣＳＩレポート設定の一部又は全部との間の事前構成された対応を受信すること（Ｓ１２４）と、ＣＳＩ‐ＲＳリソース集合とＣＳＩレポート設定との間の対応に関連する動的インジケーションを受信すること（Ｓ１２６）と、のステップのうちの少なくとも１つを実行することを含む。
【００９８】
よって、いくつかの実施形態は、チャネル状態情報、ＣＳＩ、報告に関連するパラメータを含むＭ個のレポート設定と、チャネル測定に使用されるリソース及びこれらのプロパティを規定するパラメータを含むＮ個のリソース設定とで上位層によって構成されたワイヤレス・デバイスにおいてＣＳＩフィードバックを開始する方法を含む。方法は、ａ）
上位層構成を介して、レポート設定とリソース設定との間の事前構成されたリンケージを取得すること（Ｓ１２０）と、ｂ）上位層構成に基づいて、各リソース設定内のＳ個のＣＳＩ‐ＲＳリソース集合を決定すること（Ｓ１２２）であって、ＣＳＩ‐ＲＳリソース集合は、チャネル測定に使用される複数のＣＳＩ‐ＲＳリソースを含む、ことと、ｃ）上位層構成を介して、リソース設定の１つ内のＳ個のＣＳＩ‐ＲＳリソース集合のうちの１つと、パラメータ構成互換性を使用してリソース設定にリンクされるＣＳＩレポート設定の一部又は全部との間の事前構成された対応を受信すること（Ｓ１２４）と、ｄ）ＣＳＩ‐ＲＳリソース集合とＣＳＩレポート設定との間の対応に関連する動的インジケーションを受信すること（Ｓ１２６）と、を含む。
【００９９】
この側面によれば、いくつかの実施形態において、レポート設定に規定されたコードブック構成及び１つ以上の関連パラメータは、ＣＳＩ‐ＲＳリソース集合内に含まれるＣＳＩ‐ＲＳリソース内のポート数と互換性を有する。いくつかの実施形態において、レポート設定に規定された時間領域挙動は、ＣＳＩ‐ＲＳリソース集合内に含まれるＣＳＩ‐ＲＳリソースの時間領域挙動と互換性を有する。いくつかの実施形態において、動的インジケーションは、ＤＣＩによって与えられる。いくつかの実施形態において、動的インジケーションは、ＭＡＣ  ＣＥによって与えられる。いくつかの実施形態において、１つのリソース設定（Ｎ＝１）にリンクされたレポート設定の個数Ｍは、１つのリソース設定内のＣＳＩ‐ＲＳリソース集合の個数Ｓに等しく設定される。いくつかの実施形態において、レポート設定の全体は、１つのＣＳＩ‐ＲＳリソース集合のみに対応する。いくつかの実施形態において、動的に示されるエンティティは、１つ以上のＣＳＩレポート設定の選択と、１つ以上のＣＳＩ‐ＲＳリソースの選択とを明示的に含む。いくつかの実施形態において、ＣＳＩ‐ＲＳリソース集合のインジケーションは、ＣＳＩレポート設定の選択の動的インジケーションによって暗黙的に与えられる。いくつかの実施形態において、１つのレポート設定（Ｍ＝１）は、Ｓ個のＣＳＩ‐ＲＳリソース集合を含む１つのリソース設定（Ｎ＝１）にリンクされる。
【０１００】
別の側面によれば、基地局２０によって示されるチャネル状態情報参照シンボル、ＣＳＩ‐ＲＳ、リソース集合を決定するためのワイヤレス・デバイス４０のための方法が提供される。方法は、ＣＳＩレポート設定のインジケーションに基づいてＣＳＩ‐ＲＳリソース集合を決定すること（Ｓ１１８）であって、ＣＳＩレポート設定は、ＣＳＩ‐ＲＳリソース集合との１対１対応を有する、ことを有する。
【０１０１】
この側面によれば、いくつかの実施形態において、基地局から、ＣＳＩレポート設定とＣＳＩ‐ＲＳリソース集合内のＣＳＩ‐ＲＳリソースとのインジケーションを受信することをさらに有する。いくつかの実施形態において、リソース集合は、ＣＳＩ‐ＲＳリソース集合内のリソースのアンテナ・ポート数と特定の時間領域挙動とのうちの少なくとも１つに一意である。いくつかの実施形態において、整数個の異なるＣＳＩ‐ＲＳリソース集合が１つのＣＳＩレポート設定にリンクされる。いくつかの実施形態において、ＣＳＩ‐ＲＳリソース集合は、チャネル測定に使用されるリソースを含む。
【０１０２】
別の側面によれば、チャネル状態情報、ＣＳＩ、報告に関連するパラメータを含むＭ個のレポート設定と、チャネル測定に使用されるリソース及びこれらのプロパティを規定するパラメータを含むＮ個のリソース設定とで上位層によって構成されたワイヤレス・デバイスにおいてＣＳＩフィードバックを開始するワイヤレス・デバイス４０であって、ａ）上位層構成を介して、レポート設定とリソース設定との間の事前構成されたリンケージを取得することと、ｂ）上位層構成に基づいて、各リソース設定内のＳ個のＣＳＩ‐ＲＳリソース集合を決定することであって、ＣＳＩ‐ＲＳリソース集合は、チャネル測定に使用される複数のＣＳＩ‐ＲＳリソースを含む、ことと、ｃ）上位層構成を介して、リソース設定のＣＳＩ‐ＲＳリソース集合と、パラメータ構成互換性を使用してリソース設定にリンクされるＣＳＩレポート設定の一部又は全部との間の事前構成された対応を受信することと、ｄ）ＣＳＩ‐ＲＳリソース集合とＣＳＩレポート設定との間の対応に関連する動的インジケーションを受信することと、のうちの少なくとも１つを実行するように構成された処理回路４２を備えるワイヤレス・デバイス。
【０１０３】
この側面によれば、レポート設定に規定されたコードブック構成及び１つ以上の関連パラメータは、ＣＳＩ‐ＲＳリソース集合内に含まれるＣＳＩ‐ＲＳリソース内のポート数と互換性を有する。いくつかの実施形態において、レポート設定に規定された時間領域挙動は、ＣＳＩ‐ＲＳリソース集合内に含まれるＣＳＩ‐ＲＳリソースの時間領域挙動と互換性を有する。いくつかの実施形態において、動的インジケーションは、ＤＣＩによって与えられる。いくつかの実施形態において、動的インジケーションは、ＭＡＣ  ＣＥによって与えられる。いくつかの実施形態において、１つのリソース設定（Ｎ＝１）にリンクされたレポート設定の個数Ｍは、１つのリソース設定内のＣＳＩ‐ＲＳリソース集合の個数Ｓに等しく設定される。いくつかの実施形態において、レポート設定の全体は、１つのＣＳＩ‐ＲＳリソース集合のみに対応する。いくつかの実施形態において、動的に示されるエンティティは、１つ以上のＣＳＩレポート設定の選択と、１つ以上のＣＳＩ‐ＲＳリソースの選択とを明示的に含む。いくつかの実施形態において、ＣＳＩ‐ＲＳリソース集合のインジケーションは、ＣＳＩレポート設定の選択の動的インジケーションによって暗黙的に与えられる。いくつかの実施形態において、１つのレポート設定（Ｍ＝１）は、Ｓ個のＣＳＩ‐ＲＳリソース集合を含む１つのリソース設定（Ｎ＝１）にリンクされる。
【０１０４】
さらに別の側面によれば、基地局２０によって示されるチャネル状態情報参照シンボル、ＣＳＩ‐ＲＳ、リソースを決定するためのワイヤレス・デバイス４０であって、ＣＳＩレポート設定のインジケーションに基づいてＣＳＩ‐ＲＳリソース集合を決定するように構成された処理回路４２であって、ＣＳＩ‐ＲＳレポート設定は、ＣＳＩ‐ＲＳリソース集合との１対１対応を有する、処理回路を備えるワイヤレス・デバイス。
【０１０５】
この側面によれば、いくつかの実施形態において、ワイヤレス・デバイスは、基地局２０から、ＣＳＩレポート設定とＣＳＩ‐ＲＳリソースとのインジケーションを受信するように構成された受信機５２をさらに含む。いくつかの実施形態において、整数個の異なるＣＳＩ‐ＲＳリソース集合が１つのＣＳＩレポート設定にリンクされる。いくつかの実施形態において、リソース集合は、集合内のリソースのアンテナ・ポート数と特定の時間領域挙動とのうちの少なくとも１つに一意である。いくつかの実施形態において、ＣＳＩ‐ＲＳリソース集合は、チャネル測定に使用されるリソースを含む。
【０１０６】
さらに別の側面によれば、基地局２０によって示されるチャネル状態情報参照シンボル、ＣＳＩ‐ＲＳ、リソースを決定するためのワイヤレス・デバイス（４０）が提供される。ワイヤレス・デバイス４０は、ＣＳＩレポート設定のインジケーションに基づいてＣＳＩ‐ＲＳリソース集合を決定するための決定モジュール（５１）であって、ＣＳＩ‐ＲＳレポート設定は、ＣＳＩ‐ＲＳリソース集合との１対１対応を有する、決定モジュールを有する。
【０１０７】
別の側面によれば、基地局２０のための方法が提供される。方法は、ＣＳＩレポート設定と１つ以上のＣＳＩ‐ＲＳリソースとの動的インジケーションをワイヤレス・デバイス４０に送信することであって、ＣＳＩレポート設定とＣＳＩ参照シンボル、ＲＳ、リソース集合との間の１対１対応が確立される（Ｓ１０２Ａ）、ことを有する。
【０１０８】
この側面によれば、いくつかの実施形態において、１つのＣＳＩレポート設定と１つのＣＳＩ‐ＲＳリソースとを示すために送信されるビットの総数は、
0006975794.tif 000014
ビットであり、ＮはＣＳＩレポート設定の個数であり、ＫｓはＣＳＩ‐ＲＳリソースの個数である。いくつかの実施形態において、整数個の異なるＣＳＩ‐ＲＳリソース集合が１つのＣＳＩレポート設定にリンクされる。いくつかの実施形態において、リソース集合は、集合内のリソースのアンテナ・ポート数と特定の時間領域挙動とのうちの少なくとも１つに一意である。
【０１０９】
別の側面によれば、ワイヤレス・デバイス４０へのチャネル状態情報（ＣＳＩ）リソースの動的インジケーションのための制御シグナリングを使用する基地局２０が提供される。基地局２０は、ＣＳＩレポート設定とＣＳＩ‐ＲＳリソースとのインジケーションをワイヤレス・デバイス４０に送信するように構成された処理回路であって、ＣＳＩレポート設定とＣＳＩ参照シンボルＲＳリソース集合との間の１対１対応が確立される、処理回路を備える。
【０１１０】
この側面によれば、いくつかの実施形態において、１つのＣＳＩレポート設定と１つのＣＳＩ‐ＲＤリソースとを示すために送信されるビットの総数は、
0006975794.tif 000015
ビットであり、ＮはＣＳＩレポート設定の個数であり、ＫｓはＣＳＩ‐ＲＳリソースの個数である。いくつかの実施形態において、整数個の異なるＣＳＩ‐ＲＳリソース集合が１つのＣＳＩレポート設定にリンクされる。いくつかの実施形態において、リソース集合は、集合内のリソースのアンテナ・ポート数と特定の時間領域挙動とのうちの少なくとも１つに一意である。
【０１１１】
さらに別の側面によれば、ワイヤレス・デバイス４０によって使用されるチャネル状態情報参照シンボル、ＣＳＩ‐ＲＳ、リソースをシグナリングするための基地局２０が提供される。方法は、１つ以上のＣＳＩ‐ＲＳリソース集合を選択することと、選択されたＣＳＩ‐ＲＳリソース集合のそれぞれにおいて１つ以上のＣＳＩ‐ＲＳリソースを選択することと、ＣＳＩ‐ＲＳリソース集合における最大個数のＣＳＩ‐ＲＳリソースを選択することであって、最大個数の選択は、１つ以上のＣＳＩ‐ＲＳリソース集合におけるＣＳＩ‐ＲＳリソースの個数間の類似性を実現するように計算される、ことと、のうちの少なくとも１つを含む。
【０１１２】
別の側面によれば、ワイヤレス・デバイス４０によって使用されるチャネル状態情報参照シンボル、ＣＳＩ‐ＲＳ、リソースをシグナリングするための基地局２０が提供される。基地局２０は、１つ以上のＣＳＩ‐ＲＳリソース集合を選択することと、選択されたＣＳＩ‐ＲＳリソース集合のそれぞれにおいて１つ以上のＣＳＩ‐ＲＳリソースを選択することと、ＣＳＩ‐ＲＳリソース集合における最大個数のＣＳＩ‐ＲＳリソースを選択することであって、最大個数の選択は、１つ以上のＣＳＩ‐ＲＳリソース集合におけるＣＳＩ‐ＲＳリソースの個数間の類似性を実現するように計算される、ことと、のうちの少なくとも１つを実行するように構成された処理回路２２を含む。
【０１１３】
さらに別の側面によれば、チャネル状態情報、ＣＳＩ、報告に関連するパラメータを含むＣＳＩレポートで上位層によって構成されたワイヤレス・デバイスにおいてＣＳＩフィードバックを開始する方法が提供される。方法は、ＣＳＩレポートとチャネル測定に使用されるリソースとの間の対応に関連する動的インジケーションを受信することを含む。
【０１１４】
別の側面によれば、基地局によって示されるリソースのチャネル状態情報参照シンボル、ＣＳＩ‐ＲＳ、集合を決定するためのワイヤレス・デバイスのための方法。方法は、ＣＳＩレポートのインジケーションに基づいてリソースのＣＳＩ‐ＲＳ集合を決定することであって、ＣＳＩレポートは、リソースのＣＳＩ‐ＲＳ集合との１対１対応を有する、ことを有する。
【０１１５】
この側面によれば、いくつかの実施形態において、ＣＳＩ‐ＲＳリソース集合は、チャネル測定に使用されるリソースを含む。いくつかの実施形態において、レポート設定に規定されたコードブック構成及び１つ以上の関連パラメータは、ＣＳＩ‐ＲＳリソース集合内に含まれるＣＳＩ‐ＲＳリソース内のポート数と互換性を有する。いくつかの実施形態において、レポート設定に規定された時間領域挙動は、ＣＳＩ‐ＲＳリソース集合内に含まれるＣＳＩ‐ＲＳリソースの時間領域挙動と互換性を有する。いくつかの実施形態において、動的インジケーションは、ＤＣＩによって与えられる。いくつかの実施形態において、動的インジケーションは、ＭＡＣ  ＣＥによって与えられる。いくつかの実施形態において、リソース集合は、集合内のリソースのアンテナ・ポート数と特定の時間領域挙動とのうちの少なくとも１つに一意である。
【０１１６】
さらに別の側面によれば、チャネル状態情報、ＣＳＩ、報告に関連するパラメータを含むＭ個のレポート設定と、チャネル測定に使用されるリソース及びこれらのプロパティを規定するパラメータを含むＮ個のリソース設定とで上位層によって構成されたユーザ機器においてＣＳＩフィードバックを開始するユーザ機器４０が提供される。ユーザ機器４０は、ａ）上位層構成を介して、レポート設定とリソース設定との間の事前構成されたリンケージを取得すること（Ｓ１２０）と、ｂ）上位層構成に基づいて、各リソース設定内のＳ個のＣＳＩ‐ＲＳリソース集合を決定すること（Ｓ１２２）であって、ＣＳＩ‐ＲＳリソース集合は、チャネル測定に使用される複数のＣＳＩ‐ＲＳリソースを含む、ことと、ｃ）上位層構成を介して、リソース設定のＣＳＩ‐ＲＳリソース集合と、パラメータ構成互換性を使用してリソース設定にリンクされるＣＳＩレポート設定の一部又は全部との間の事前構成された対応を受信すること（Ｓ１２４）と、ｄ）ＣＳＩ‐ＲＳリソース集合とＣＳＩレポート設定との間の対応に関連する動的インジケーションを受信すること（Ｓ１２６）と、のうちの少なくとも１つを実行するように構成された処理回路４２を含む。
【０１１７】
この側面によれば、いくつかの実施形態において、レポート設定に規定されたコードブック構成及び１つ以上の関連パラメータは、ＣＳＩ‐ＲＳリソース集合内に含まれるＣＳＩ‐ＲＳリソース内のポート数と互換性を有する。いくつかの実施形態において、レポート設定に規定された時間領域挙動は、ＣＳＩ‐ＲＳリソース集合内に含まれるＣＳＩ‐ＲＳリソースの時間領域挙動と互換性を有する。いくつかの実施形態において、動的インジケーションは、ＤＣＩによって与えられる。いくつかの実施形態において、動的インジケーションは、ＭＡＣ  ＣＥによって与えられる。いくつかの実施形態において、１つのリソース設定（Ｎ＝１）にリンクされたレポート設定の個数Ｍは、１つのリソース設定内のＣＳＩ‐ＲＳリソース集合の個数Ｓに等しく設定される。いくつかの実施形態において、レポート設定の全体は、１つのＣＳＩ‐ＲＳリソース集合のみに対応する。いくつかの実施形態において、動的に示されるエンティティは、１つ以上のＣＳＩレポート設定の選択と、１つ以上のＣＳＩ‐ＲＳリソースの選択とを明示的に含む。いくつかの実施形態において、ＣＳＩ‐ＲＳリソース集合のインジケーションは、ＣＳＩレポート設定の選択の動的インジケーションによって暗黙的に与えられる。いくつかの実施形態において、１つのレポート設定（Ｍ＝１）は、Ｓ個のＣＳＩ‐ＲＳリソース集合を含む１つのリソース設定（Ｎ＝１）にリンクされる。
【０１１８】
別の側面によれば、基地局２０によって示されるチャネル状態情報参照シンボル、ＣＳＩ‐ＲＳ、リソースを決定するためのユーザ機器４０が提供される。ユーザ機器４０は、ＣＳＩレポート設定のインジケーションに基づいてＣＳＩ‐ＲＳリソース集合を決定するように構成された処理回路４２であってＣＳＩ‐ＲＳレポート設定は、ＣＳＩ‐ＲＳリソース集合との１対１対応を有する、処理回路を含む。
【０１１９】
この側面によれば、いくつかの実施形態において、ユーザ機器４０は、基地局２０から、ＣＳＩレポート設定とＣＳＩ‐ＲＳリソースとのインジケーションを受信するように構成された受信機５２をさらに備える。いくつかの実施形態において、整数個の異なるＣＳＩ‐ＲＳリソース集合が１つのＣＳＩレポート設定にリンクされる。いくつかの実施形態において、リソース集合は、集合内のリソースのアンテナ・ポート数と特定の時間領域挙動とのうちの少なくとも１つに一意である。いくつかの実施形態において、ＣＳＩ‐ＲＳリソース集合は、チャネル測定に使用されるリソースを含む。
【０１２０】
さらに別の側面によれば、基地局２０によって示されるチャネル状態情報参照シンボル、ＣＳＩ‐ＲＳ、リソースを決定するためのユーザ機器４０が提供される。ユーザ機器４０は、ＣＳＩレポート設定のインジケーションに基づいてＣＳＩ‐ＲＳリソース集合を決定するための決定モジュール５１であって、ＣＳＩ‐ＲＳレポート設定は、ＣＳＩ‐ＲＳリソース集合との１対１対応を有する、決定モジュールを有する。
【０１２１】
さらに別の実施形態によれば、チャネル状態情報、ＣＳＩ、フィードバックを開始するために構成されたワイヤレス・デバイス４０が提供される。ワイヤレス・デバイスは、ＣＳＩ報告に関連するパラメータを含むＣＳＩレポートで上位層によって構成されている。ワイヤレス・デバイスは、ＣＳＩレポートとチャネル測定に使用されるリソースとの間の対応に関連する動的インジケーションを受信するように構成された受信機５２を含む。
【０１２２】
別の側面によれば、基地局によって示されるリソースのチャネル状態情報参照シンボル、ＣＳＩ‐ＲＳ、集合を決定するためのワイヤレス・デバイス４０が提供される。ワイヤレス・デバイス４０は、ＣＳＩレポートのインジケーションに基づいてリソースのＣＳＩ‐ＲＳ集合を決定するように構成された処理回路４２であって、ＣＳＩレポートは、リソースのＣＳＩ‐ＲＳ集合との１対１対応を有する、処理回路を含む。
【０１２３】
いくつかの実施形態は以下のものを含む。
実施形態１．
ＣＳＩ報告に関連するパラメータを含むＭ個のレポート設定と、チャネル測定に使用されるリソース及びこれらのプロパティを規定するパラメータを含むＮ個のリソース設定とで上位層によって構成されたワイヤレス・デバイスにおいてＣＳＩフィードバックを開始する方法であって、
ａ）前記レポート設定と前記リソース設定との間の事前構成されたリンケージを取得することと、
ｂ）各リソース設定内のＳ個のＣＳＩ‐ＲＳリソース集合を決定することであって、ＣＳＩ‐ＲＳリソース集合は、チャネル測定に使用される複数のＣＳＩ‐ＲＳリソースを含む、ことと、
ｃ）リソース設定内のＣＳＩ‐ＲＳリソース集合と、パラメータ構成互換性を使用して前記リソース設定にリンクされるＣＳＩレポート設定の一部又は全部との間の事前構成された対応を取得することと、
ｄ）制御シグナリング・オーバヘッドを低減するために、前記ＣＳＩ‐ＲＳリソース集合と前記ＣＳＩレポート設定との間の前記対応を利用する動的インジケーションを受信することと、
のうちの少なくとも１つを有する方法。
注記：いくつかの場合に、上記のステップ（ａ）〜（ｃ）の情報は、上位層構成の一部であってもよい。
実施形態２．
実施形態１に記載の方法であって、１つのリソース設定（Ｎ＝１）にリンクされたレポート設定の個数Ｍは、前記１つのリソース設定内のＣＳＩ‐ＲＳリソース集合の個数Ｓに等しく設定される、方法。
実施形態３．
実施形態１、２Ａ及び２Ｂの何れか１つに記載の方法であって、レポート設定の全体は、１つのＣＳＩ‐ＲＳリソース集合のみに対応する、方法。
実施形態４．
実施形態１乃至３の何れか１つに記載の方法であって、前記レポート設定に規定されたコードブック構成及び関連パラメータは、前記ＣＳＩ‐ＲＳリソース集合内に含まれる前記ＣＳＩ‐ＲＳリソース内のポート数と互換性を有する、方法。
実施形態５．
実施形態１乃至３の何れか１つに記載の方法であって、前記レポート設定に規定された時間領域挙動は、前記ＣＳＩ‐ＲＳリソース集合内に含まれる前記ＣＳＩ‐ＲＳリソースの時間領域挙動と互換性を有する、方法。
実施形態６．
実施形態１乃至３の何れか１つに記載の方法であって、動的に示されるエンティティは、１つ以上のＣＳＩレポート設定の選択と、１つ以上のＣＳＩ‐ＲＳリソースの選択とを明示的に含む、方法。
実施形態７．
実施形態１乃至３及び６の何れか１つに記載の方法であって、ＣＳＩ‐ＲＳリソース集合の前記インジケーションは、ＣＳＩレポート設定の前記選択の前記動的インジケーションによって暗黙的に与えられる、方法。
実施形態８．
実施形態１乃至３及び６の何れか１つに記載の方法であって、前記動的インジケーションは、ＤＣＩによって与えられる、方法。
実施形態９．
実施形態１乃至３及び６の何れか１つに記載の方法であって、前記動的インジケーションは、ＭＡＣ  ＣＥによって与えられる、方法。
実施形態１０．
実施形態１に記載の方法であって、１つのレポート設定（Ｍ＝１）は、Ｓ個のＣＳＩ‐ＲＳリソース集合を含む１つのリソース設定（Ｎ＝１）にリンクされる、方法。
実施形態１１．
実施形態１又は１０に記載の方法であって、前記レポート設定は、Ｓ個のレポート部分集合を含む、方法。
実施形態１２．
実施形態１、１０及び１１の何れか１つに記載の方法であって、前記レポート設定の一部である１つのレポート部分集合は、１つのＣＳＩ‐ＲＳリソース集合のみに対応する、方法。
実施形態１３．
実施形態１及び１０乃至１２の何れか１つに記載の方法であって、前記レポート部分集合に規定されたコードブック構成及び関連パラメータは、前記ＣＳＩ‐ＲＳリソース集合内に含まれる前記ＣＳＩ‐ＲＳリソース内のポート数と互換性を有する、方法。
実施形態１４．
実施形態１及び１０乃至１２の何れか１つに記載の方法であって、前記レポート部分集合に規定された時間領域挙動は、前記ＣＳＩ‐ＲＳリソース集合内に含まれる前記ＣＳＩ‐ＲＳリソースの時間領域挙動と互換性を有する、方法。
実施形態１５．
実施形態１及び１０乃至１２の何れか１つに記載の方法であって、動的に示されるエンティティは、ＣＳＩレポート設定の選択と、１つ以上のＣＳＩ‐ＲＳリソース集合の選択と、１つ以上のＣＳＩ‐ＲＳリソースの選択とを明示的に含む、方法。
実施形態１６．
実施形態１、１０乃至１２及び１５の何れか１つに記載の方法であって、レポート部分集合の前記インジケーションは、ＣＳＩレポート設定の前記選択とＣＳＩ‐ＲＳリソース集合の前記選択との前記動的インジケーションによって暗黙的に与えられる、方法。
実施形態１７．
実施形態１及び１０乃至１２の何れか１つに記載の方法であって、前記動的インジケーションは、ＤＣＩによって与えられる、方法。
実施形態１８．
実施形態１及び１０乃至１２の何れか１つに記載の方法であって、前記動的インジケーションは、ＭＡＣ  ＣＥによって与えられる、方法。
実施形態１９．
ワイヤレス・デバイスへのチャネル状態情報（ＣＳＩ）リソースの動的インジケーションのために制御シグナリングを使用する基地局のための方法であって、
ＣＳＩレポート設定のインジケーションから前記ワイヤレス・デバイスにおいてＣＳＩ参照シンボル（ＲＳ）リソース集合が決定されうるように、前記ＣＳＩレポート設定と前記ＣＳＩ‐ＲＳリソース集合との間の１対１対応と、
ＣＳＩ‐ＲＳリソース集合のインジケーションとＣＳＩレポート設定のインジケーションとから前記ワイヤレス・デバイスにおいてレポート部分集合が決定されうるように、前記レポート部分集合と前記ＣＳＩ‐ＲＳリソース集合との間の１対１対応と、
のうちの１つを確立することを有する方法。
実施形態２０．
実施形態１９に記載の方法であって、前記ＣＳＩレポート設定と前記ＣＳＩ‐ＲＳリソースとのインジケーションを前記ワイヤレス・デバイスに送信することをさらに有する方法。
実施形態２１．
実施形態１９又は２０に記載の方法であって、１つのＣＳＩレポート設定と１つのＣＳＩ‐ＲＳリソースとを示すために送信されるビットの総数は、
0006975794.tif 000016
ビットであり、ＮはＣＳＩレポート設定の個数であり、ＫｓはＣＳＩ‐ＲＳリソースの個数である、方法。
実施形態２２．
実施形態１９に記載の方法であって、整数個の異なるＣＳＩ‐ＲＳリソース集合が１つのＣＳＩレポート設定にリンクされる、方法。
実施形態２３．
実施形態１９乃至２２の何れか１つに記載の方法であって、リソース集合は、前記集合内の前記リソースのアンテナ・ポート数と特定の時間領域挙動とに一意である、方法。
実施形態２４．
ワイヤレス・デバイスへのチャネル状態情報（ＣＳＩ）リソースの動的インジケーションのために制御シグナリングを使用する基地局であって、
ＣＳＩレポート設定のインジケーションから前記ワイヤレス・デバイスにおいてＣＳＩ参照シンボル（ＲＳ）リソース集合が決定されうるように、前記ＣＳＩレポート設定と前記ＣＳＩ‐ＲＳリソース集合との間の１対１対応と、
ＣＳＩ‐ＲＳリソース集合のインジケーションとＣＳＩレポート設定のインジケーションとから前記ワイヤレス・デバイスにおいてレポート部分集合が決定されうるように、前記レポート部分集合と前記ＣＳＩ‐ＲＳリソース集合との間の１対１対応と、
のうちの１つを確立するように構成された処理回路を備える基地局。
実施形態２５．
実施形態２４に記載の基地局であって、前記ＣＳＩレポート設定と前記ＣＳＩ‐ＲＳリソースとのインジケーションを前記ワイヤレス・デバイスに送信するように構成された送信機をさらに備える基地局。
実施形態２６．
実施形態２４又は２５に記載の基地局であって、１つのＣＳＩレポート設定と１つのＣＳＩ‐ＲＤリソースとを示すために送信されるビットの総数は、
0006975794.tif 000017
ビットであり、ＮはＣＳＩレポート設定の個数であり、ＫｓはＣＳＩ‐ＲＳリソースの個数である、基地局。
実施形態２７．
実施形態２４に記載の基地局であって、整数個の異なるＣＳＩ‐ＲＳリソース集合が１つのＣＳＩレポート設定にリンクされる、基地局。
実施形態２８．
実施形態２４乃至２７の何れか１つに記載の基地局であって、リソース集合は、前記集合内の前記リソースのアンテナ・ポート数と特定の時間領域挙動とに一意である、基地局。
実施形態２９．
ワイヤレス・デバイスへのチャネル状態情報（ＣＳＩ）リソースの動的インジケーションのために制御シグナリングを使用する基地局であって、
ＣＳＩレポート設定のインジケーションから前記ワイヤレス・デバイスにおいてＣＳＩ参照シンボル（ＲＳ）リソース集合が決定されうるように、前記ＣＳＩレポート設定と前記ＣＳＩ‐ＲＳリソース集合との間の１対１対応と、
ＣＳＩ‐ＲＳリソース集合のインジケーションとＣＳＩレポート設定のインジケーションとから前記ワイヤレス・デバイスにおいてレポート部分集合が決定されうるように、前記レポート部分集合と前記ＣＳＩ‐ＲＳリソース集合との間の１対１対応と、
のうちの１つを確立するように構成された関連付けモジュールを備える基地局。
実施形態３０．
基地局によって示されるチャネル状態情報参照シンボル、ＣＳＩ‐ＲＳ、リソース集合を決定するためのワイヤレス・デバイスのための方法であって、
ＣＳＩレポート設定のインジケーションに基づいてＣＳＩ‐ＲＳリソース集合を決定することであって、前記ＣＳＩレポート設定は、ＣＳＩ‐ＲＳリソース集合との１対１対応を有する、ことと、
ＣＳＩレポート設定とＣＳＩ‐ＲＳリソース集合とに基づいてレポート部分集合を決定することであって、前記ＣＳＩ‐ＲＳリソース集合は、レポート部分集合との１対１対応を有する、ことと、
のうちの１つを有する方法。
実施形態３１．
実施形態３０に記載の方法であって、前記ＣＳＩレポート設定と前記ＣＳＩ‐ＲＳリソースとのインジケーションを前記基地局から受信することをさらに有する方法。
実施形態３２．
実施形態３０に記載の方法であって、整数個の異なるＣＳＩ‐ＲＳリソース集合が１つのＣＳＩレポート設定にリンクされる、方法。
実施形態３３．
実施形態３０乃至３２の何れか１つに記載の方法であって、リソース集合は、前記集合内の前記リソースのアンテナ・ポート数と特定の時間領域挙動とに一意である、方法。
実施形態３４．
基地局によって示されるチャネル状態情報参照シンボル、ＣＳＩ‐ＲＳ、リソースを決定するためのワイヤレス・デバイスであって、
ＣＳＩレポート設定のインジケーションに基づいてＣＳＩ‐ＲＳリソース集合を決定することであって、前記ＣＳＩ‐ＲＳレポート設定は、ＣＳＩ‐ＲＳリソース集合との１対１対応を有する、ことと、
ＣＳＩレポート設定とＣＳＩ‐ＲＳリソース集合とに基づいてレポート部分集合を決定することであって、前記ＣＳＩ‐ＲＳリソース集合は、レポート部分集合との１対１対応を有する、ことと、
のうちの１つを行うように構成された処理回路を備えるワイヤレス・デバイス。
実施形態３５．
実施形態３４に記載のワイヤレス・デバイスであって、前記ＣＳＩレポート設定と前記ＣＳＩ‐ＲＳリソースとのインジケーションを前記基地局から受信するように構成された受信回路をさらに備えるワイヤレス・デバイス。
実施形態３６．
実施形態３４に記載のワイヤレス・デバイスであって、整数個の異なるＣＳＩ‐ＲＳリソース集合が１つのＣＳＩレポート設定にリンクされる、ワイヤレス・デバイス。
実施形態３７．
実施形態３４乃至３６の何れか１つに記載のワイヤレス・デバイスであって、リソース集合は、前記集合内の前記リソースのアンテナ・ポート数と特定の時間領域挙動とに一意である、ワイヤレス・デバイス。
実施形態３８．
基地局によって示されるチャネル状態情報参照シンボル、ＣＳＩ‐ＲＳ、リソースを決定するためのワイヤレス・デバイスであって、
ＣＳＩレポート設定のインジケーションに基づいてＣＳＩ‐ＲＳリソース集合を決定することであって、前記ＣＳＩ‐ＲＳレポート設定は、ＣＳＩ‐ＲＳリソース集合との１対１対応を有する、ことと、
ＣＳＩレポート設定とＣＳＩ‐ＲＳリソース集合とに基づいてレポート部分集合を決定することであって、前記ＣＳＩ‐ＲＳリソース集合は、レポート部分集合との１対１対応を有する、ことと、
のうちの１つを行うように構成された決定モジュールを備えるワイヤレス・デバイス。
実施形態３９．
ワイヤレス・デバイスによって使用されるチャネル状態情報参照シンボル、ＣＳＩ‐ＲＳ、リソースをシグナリングするための基地局のための方法であって、
１つ以上のＣＳＩ‐ＲＳリソース集合を選択することと、
前記選択されたＣＳＩ‐ＲＳリソース集合のそれぞれにおいて１つ以上のＣＳＩ‐ＲＳリソースを選択することと、
ＣＳＩ‐ＲＳリソース集合における最大個数のＣＳＩ‐ＲＳリソースを選択することであって、前記最大個数の選択は、前記１つ以上のＣＳＩ‐ＲＳリソース集合におけるＣＳＩ‐ＲＳリソースの個数間の類似性を実現するように計算される、ことと、
のうちの少なくとも１つを含む方法。
実施形態４０．
実施形態３９に記載の方法であって、各ＣＳＩ‐ＲＳリソース集合は、異なる個数のアンテナ・ポートを有するＣＳＩ‐ＲＳリソースを含む、方法。
実施形態４１．
実施形態３９又は４０に記載の方法であって、各ＣＳＩ‐ＲＳリソース集合は、異なる時間領域挙動を有するＣＳＩ‐ＲＳリソースを含む、方法。
実施形態４２．
ワイヤレス・デバイスによって使用されるチャネル状態情報参照シンボル、ＣＲＩ‐ＲＳ、リソースをシグナリングするための基地局であって、
１つ以上のＣＳＩ‐ＲＳリソース集合を選択することと、
前記選択されたＣＳＩ‐ＲＳリソース集合のそれぞれにおいて１つ以上のＣＳＩ‐ＲＳリソースを選択することと、
ＣＳＩ‐ＲＳリソース集合における最大個数のＣＳＩ‐ＲＳリソースを選択することであって、前記最大個数の選択は、前記１つ以上のＣＳＩ‐ＲＳリソース集合におけるＣＳＩ‐ＲＳリソースの個数間の類似性を実現するように計算される、ことと、
のうちの少なくとも１つを実行するように構成された処理回路を備える基地局。
実施形態４３．
基地局からチャネル状態情報参照シンボル、ＣＳＩ‐ＲＳ、リソースを受信するためのワイヤレス・デバイスのための方法であって、前記ＣＳＩ‐ＲＳリソースは、実施形態３９乃至４１の何れか１つに記載の方法に従って取得される、方法。
実施形態４４．
基地局からチャネル状態情報参照シンボル、ＣＲＩ‐ＲＳ、リソースを受信するためのワイヤレス・デバイスであって、実施形態３９乃至４１の何れか１つに記載の方法に従ってＣＳＩ‐ＲＳリソースを処理するように構成された処理回路を備えるワイヤレス・デバイス。
【０１２４】
略語            定義
ＣＳＩ          チャネル状態情報
ＴＲＰ          送信／受信ポイント
ＵＥ            ユーザ機器
ＮＷ            ネットワーク
ＢＰＬ          ビーム・ペア・リンク
ＢＬＦ          ビーム・ペア・リンク障害
ＢＬＭ          ビーム・ペア・リンク監視
ＢＰＳ          ビーム・ペア・リンク・スイッチ
ＲＬＭ          無線リンク監視
ＲＬＦ          無線リンク障害
ＰＤＣＣＨ      物理ダウンリンク制御チャネル
ＲＲＣ          無線リソース制御
ＣＲＳ          セル固有参照信号
ＣＳＩ‐ＲＳ    チャネル状態情報参照信号
ＲＳＲＰ        参照信号受信電力
ＲＳＲＱ        参照信号受信品質
ＨＡＲＱ        ハイブリッド自動再送要求
ｇＮＢ          ニュー・ラジオ（ＮＲ）基地局
ＰＲＢ          物理リソース・ブロック
ＲＥ            リソース要素
【０１２５】
当業者によって理解されるように、本書で説明される概念は、方法、データ処理システム及び／又はコンピュータ・プログラム製品として実施されうる。したがって、本書で説明される概念は、全体的にハードウェアの実施形態、全体的にソフトウェアの実施形態、又は本書で一般的に「回路」又は「モジュール」と呼ばれるソフトウェア及びハードウェアの態様を組み合わせた実施形態の形態をとってもよい。さらに、本開示は、コンピュータによって実行されうる、媒体内に実施されたコンピュータ・プログラム・コードを有する有形のコンピュータ使用可能記憶媒体上のコンピュータ・プログラム製品の形態をとってもよい。ハードディスク、ＣＤ‐ＲＯＭ、電子ストレージ・デバイス、光ストレージ・デバイス、又は磁気ストレージ・デバイスを含む任意の適切な有形のコンピュータ可読媒体が利用されてもよい。
【０１２６】
いくつかの実施形態は、方法、システム及びコンピュータ・プログラム製品のフローチャート図解及び／又はブロック図を参照して本書で説明される。フローチャート図解及び／又はブロック図の各ブロック、並びにフローチャート図解及び／又はブロック図のブロックの組合せは、コンピュータ・プログラム命令によって実装されうることを理解されたい。これらのコンピュータ・プログラム命令は、汎用コンピュータのプロセッサ（それによって、専用コンピュータを作成する）、専用コンピュータ又は他のプログラマブル・データ処理装置に提供されて、コンピュータのプロセッサ又は他のプログラマブル・データ処理装置を介して実行される命令がフローチャート及び／又はブロック図のブロックで指定された機能／動作を実装するための手段を作成するように機械を生成してもよい。
【０１２７】
これらのコンピュータ・プログラム命令はまた、コンピュータ又は他のプログラマブル・データ処理装置に特定のやり方で機能するように指示できるコンピュータ可読メモリ又は記憶媒体に記憶されてもよく、その結果、コンピュータ可読メモリに記憶された命令は、フローチャート及び／又はブロック図のブロックで指定された機能／動作を実装する命令手段を含む製品を生成する。
【０１２８】
コンピュータ・プログラム命令はまた、コンピュータ又は他のプログラマブル・データ処理装置にロードされて、コンピュータ又は他のプログラマブル装置上で実行される命令がフローチャート及び／又はブロック図のブロックで指定された機能／動作を実装するためのステップを提供するように、コンピュータ又は他のプログラマブル装置上で一連の動作ステップを実行させて、コンピュータ実装プロセスを生成してもよい。
【０１２９】
ブロックに記載された機能／動作は、動作説明に記載された順序とは異なる順序で行われてもよいことを理解されたい。例えば、関連する機能／動作に依存して、連続して示される２つのブロックは、実際には実質的に同時に実行されてもよく、時としてブロックは逆順に実行されてもよい。図の一部が通信の主要方向を示すための通信経路上の矢印を含むが、通信は図示された矢印とは反対方向に生じてもよいことが理解されよう。
【０１３０】
本書で説明する概念の動作を実行するためのコンピュータ・プログラム・コードは、Ｊａｖａ（登録商標）又はＣ＋＋のようなオブジェクト指向プログラミング言語で書かれてもよい。しかし、本開示の動作を実行するためのコンピュータ・プログラム・コードは、「Ｃ」プログラミング言語のような従来の手続き型プログラミング言語で書かれてもよい。プログラム・コードは、完全にユーザのコンピュータ上で実行されてもよく、部分的にユーザのコンピュータ上で実行されてもよく、スタンドアロン・ソフトウェア・パッケージとして実行されてもよく、部分的にユーザのコンピュータ上で且つ部分的にリモート・コンピュータ上で実行されてもよく、又は完全にリモート・コンピュータ上で実行されてもよい。後者のシナリオにおいて、リモート・コンピュータは、ローカル・エリア・ネットワーク（ＬＡＮ）又はワイド・エリア・ネットワーク（ＷＡＮ）を介してユーザのコンピュータに接続されてもよく、又は接続は（例えば、インターネット・サービス・プロバイダを使用してインターネットを介して）外部コンピュータになされてもよい。
【０１３１】
上記の説明及び図面に関連して多くの異なる実施形態が本書に開示されている。これらの実施形態のあらゆる組み合わせ及びサブコンビネーションを文字通りに説明し、例示することは、不当に繰り返され、難読化されることが理解されるだろう。したがって、すべての実施形態は任意の方法及び／又は組み合わせで組み合わされてもよく、図面を含む本明細書は本書で説明される実施形態のすべての組み合わせ及びサブコンビネーション、並びにこれらを作製及び使用する方法及びプロセスの完全な書面による説明を構成すると解釈されるべきであり、このような任意の組み合わせ又はサブコンビネーションに対する特許請求の範囲をサポートするものとする。
【０１３２】
当業者は、本書に記載された実施形態が、本書に特に示され記載されたものに限定されないことを理解するだろう。さらに、上記に反対の言及がなされない限り、添付の図面の全てが縮尺通りというわけではないことに留意されたい。上記の教示に照らして、以下の特許請求の範囲から逸脱することなく、様々な修正及び変形が可能である。
【図１】
0006975794.tif 000018
【図２】
0006975794.tif 000019
【図３】
0006975794.tif 000020
【図４】
0006975794.tif 000021
【図５Ａ】
0006975794.tif 000022
【図５Ｂ】
0006975794.tif 000023
【図５Ｃ】
0006975794.tif 000024
【図６】
0006975794.tif 000025
【図７】
0006975794.tif 000026
【図８】
0006975794.tif 000027
【図９】
0006975794.tif 000028
【図１０】
0006975794.tif 000029
【図１１】
0006975794.tif 000030
【図１２】
0006975794.tif 000031
【図１３】
0006975794.tif 000032
【図１４】
0006975794.tif 000033
【図１５】
0006975794.tif 000034
【図１６】
0006975794.tif 000035
【図１７】
0006975794.tif 000036
【図１８】
0006975794.tif 000037
【図１９】
0006975794.tif 000038
【図２０】
0006975794.tif 000039
【図２１】
0006975794.tif 000040
【図２２】
0006975794.tif 000041
【図２３】
0006975794.tif 000042